(57)【要約】  通信システム、例えば、無線システムにおける累進プリアンブル送信の方法及び装置が開示される。具体的には、粗いタイミング獲得のため、第１の記号が利用されて第１のタイミング情報を通信する。第１のネットワークにおける記号の微細なタイミング獲得のため、第２の記号は第１のネットワークに関するネットワーク識別情報を含む第１の情報を通信する。第２のネットワーク・データが所望されるならば、累進的であるか選択的に利用され得る第３の記号が第２の情報を通信する。この第２の情報は、第２のネットワークに関するネットワーク識別情報を含む。第２のネットワークに関するネットワーク識別情報は第１のネットワークに関するネットワーク識別情報を含み、処理を最小にして第２のネットワーク・データについて微細なタイミング獲得を決定する。【選択図】    図４４
2010503288.tif 000002
【特許請求の範囲】
【請求項１】
通信システムにおいてネットワーク識別子を送信する方法であって、
少なくともタイミング情報を通信するように構成された第１の記号を送信することと；
第１のネットワークに関するネットワーク識別情報を含む第１の情報を通信するように構成された第２の記号を送信することと；
第２のネットワークに関するネットワーク識別情報を含む第２の情報を通信するように構成された第３の記号を送信することと、なお、前記第２のネットワークに関する前記ネットワーク識別情報は、前記第１のネットワークに関する前記ネットワーク識別情報の少なくとも一部分を含む；
を備える方法。
【請求項２】
前記第２の記号は、前記第１のネットワーク識別情報を有する記号を種とする疑似ランダムノイズ系列によってスクランブルされた第１のネットワーク識別情報を有する前記ネットワーク識別情報を含む前記第１の情報を含むように構成される、請求項１に記載の方法。
【請求項３】
前記第２の記号は、前記第１のネットワーク識別情報を有する記号を種とする疑似ランダムノイズ系列によってスクランブルされた第１のネットワーク識別情報を有する前記ネットワーク識別情報を含む前記第１の情報を含むように構成される、請求項１に記載の方法。
【請求項４】
トランシーバの中で通信システムにおけるネットワーク識別子を決定する方法であって、
第１のタイミング情報を前記トランシーバへ通信するように構成された第１の受信記号を処理することと；
第１のネットワークに関するネットワーク識別情報を含む第１の情報を通信するように構成された第２の受信記号を処理することと；
第２のネットワークに関するネットワーク識別情報を含む第２の情報を通信するように構成された第３の受信記号を選択的に処理することと、なお、前記第２のネットワークに関する前記ネットワーク識別情報は、前記トランシーバが前記第２のネットワークからデータを受信するように選択的に構成されるとき、前記第１のネットワークに関する前記ネットワーク識別情報の少なくとも一部分を含む；
を備える方法。
【請求項５】
第２のネットワーク情報が所望されないとき、第１のネットワークに関するネットワーク識別情報を含む前記第１の情報の少なくとも１つに基づいて前記トランシーバの中で微細なタイミングを獲得することを更に備える、請求項４に記載の方法。
【請求項６】
第２のネットワーク情報が所望されるとき、第１のネットワークに関するネットワーク識別情報を含む前記第１及び第２の情報の少なくとも１つに基づいて前記トランシーバの中で微細なタイミングを獲得することを更に備える、請求項４に記載の方法。
【請求項７】
前記第１のタイミング情報は粗いタイミング情報である、請求項４に記載の方法。
【請求項８】
前記粗いタイミング情報に基づいて前記第２の受信記号及び前記第３の受信記号の少なくとも１つを標本化することを更に備える、請求項７に記載の方法。
【請求項９】
前記第１のタイミング情報に基づいて前記第２及び第３の受信記号の少なくとも１つについてノイズ基線を推定することを更に備える、請求項４に記載の方法。
【請求項１０】
前記粗いタイミング情報に基づいて前記第２の受信記号及び前記第３の受信記号の少なくとも１つのために前記第２及び第３の受信記号の少なくとも１つについてノイズ基線を推定することを更に備える、請求項８に記載の方法。
【請求項１１】
前記第２の受信記号は、前記第２の受信記号の中の偶数インタレース又は奇数インタレースの１つの中で第１のネットワークに関するネットワーク識別情報を含む前記第１の情報を含むように構成される、請求項４に記載の方法。
【請求項１２】
前記第３の受信記号は、前記第３の受信記号の中の偶数インタレース又は奇数インタレースの１つの中に第２のネットワークに関する第２の情報を含むように構成される、請求項４に記載の方法。
【請求項１３】
前記標本化された第２及び第３の受信記号の少なくとも１つを周波数定義域へ変換することと；
疑似ランダムノイズ系列を使用して前記第２及び第３の受信記号の少なくとも１つの中に埋め込まれたパイロット記号をデスクランブルすることと；
前記デスクランブルされたパイロット記号を時間定義域へ変換することと；
複数のネットワーク識別子について前記第２及び第３の受信記号の少なくとも１つに関連づけられた変換されてデスクランブルされたパイロット記号の少なくとも１つについて通信路推定値を決定することと；
前記決定された通信路推定値及び前記ノイズ基線に基づいて検出計量を計算することと；
前記検出計量からの前記最大値に基づいて前記複数のネットワーク識別子から前記ネットワーク識別情報の中のネットワーク識別子を選択することと；
を更に備える、請求項４に記載の方法。
【請求項１４】
送信機の中で使用するためのプロセッサであって、
少なくともタイミング情報を通信するように構成された第１の記号を送信し；
第１のネットワークに関するネットワーク識別情報を含む第１の情報を通信するように構成された第２の記号を送信し；
第２のネットワークに関するネットワーク識別情報を含む第２の情報を通信するように構成された第３の記号を送信する、なお、前記第２のネットワークに関する前記ネットワーク識別情報は、前記第１のネットワークに関する前記ネットワーク識別情報の少なくとも一部分を含む；
ように構成されたプロセッサ。
【請求項１５】
前記第２の記号は、前記第１のネットワーク識別情報を有する前記記号を種とする疑似ランダムノイズ系列によってスクランブルされた第１のネットワーク識別情報を有する前記ネットワーク識別情報を含む前記第１の情報を含むように構成される、請求項１４に記載のプロセッサ。
【請求項１６】
前記第２の記号は、前記第１のネットワーク識別情報を有する前記記号を種とする疑似ランダムノイズ系列によってスクランブルされた第１のネットワーク識別情報を有する前記ネットワーク識別情報を含む前記第１の情報を含むように構成される、請求項１に記載のプロセッサ。
【請求項１７】
トランシーバの中で使用するためのプロセッサであって、
第１のタイミング情報を前記トランシーバへ通信するように構成された第１の受信記号を処理し；
第１のネットワークに関するネットワーク識別情報を含む第１の情報を通信するように構成された第２の受信記号を処理し；
第２のネットワークに関するネットワーク識別情報を含む第２の情報を通信するように構成された第３の受信記号を選択的に処理する、なお、前記第２のネットワークに関する前記ネットワーク識別情報は、前記トランシーバが前記第２のネットワークからデータを受信するように選択的に構成されるとき、前記第１のネットワークに関する前記ネットワーク識別情報の少なくとも一部分を含む；
ように構成されたプロセッサ。
【請求項１８】
第２のネットワーク情報が所望されないとき、第１のネットワークに関するネットワーク識別情報を含む前記第１の情報の少なくとも１つに基づいて前記トランシーバの中で微細なタイミングを獲得するように更に構成される、請求項１７に記載のプロセッサ。
【請求項１９】
第２のネットワーク情報が所望されるとき、第１のネットワークに関するネットワーク識別情報を含む前記第１及び第２の情報の少なくとも１つに基づいて前記トランシーバの中で微細なタイミングを獲得するように更に構成される、請求項１７に記載のプロセッサ。
【請求項２０】
前記第１のタイミング情報は粗いタイミング情報である、請求項１７に記載のプロセッサ。
【請求項２１】
前記粗いタイミング情報に基づいて前記第２の受信記号及び前記第３の受信記号の少なくとも１つを標本化するように更に構成される、請求項２０に記載のプロセッサ。
【請求項２２】
前記第１のタイミング情報に基づいて前記第２及び第３の受信記号の少なくとも１つについてノイズ基線を推定するように更に構成される、請求項１７に記載のプロセッサ。
【請求項２３】
前記粗いタイミング情報に基づき前記第２の受信記号及び前記第３の受信記号の少なくとも１つについてノイズ基線を推定するように更に構成される、請求項２１に記載のプロセッサ。
【請求項２４】
前記第２の受信記号は、前記第１のネットワークに関するネットワーク識別情報を含む前記第１の情報を、前記第２の受信記号の中の偶数インタレース又は奇数インタレースの１つの中に含むように構成される、請求項１７に記載のプロセッサ。
【請求項２５】
前記第３の受信記号は、前記第２のネットワークに関する前記第２の情報を、前記第３の受信記号の中の偶数インタレース又は奇数インタレースの１つの中に含むように構成される、請求項１７に記載のプロセッサ。
【請求項２６】
前記プロセッサは更に、
前記標本化された第２及び第３の受信記号の少なくとも１つを周波数定義域へ変換し；
疑似ランダムノイズ系列を使用して前記第２及び第３の受信記号の少なくとも１つの中に埋め込まれたパイロット記号をデスクランブルし；
前記デスクランブルされたパイロット記号を時間定義域へ変換し；
複数のネットワーク識別子について前記第２及び第３の受信記号の少なくとも１つに関連づけられた前記変換されてデスクランブルされたパイロット記号の少なくとも１つについて通信路推定値を決定し；
前記決定された通信路推定値及び前記ノイズ基線に基づいて検出計量を計算し；
前記検出計量からの前記最大値に基づいて前記複数のネットワーク識別子から前記ネットワーク識別情報の中のネットワーク識別子を選択する；
ように構成される、請求項１７に記載のプロセッサ。
【請求項２７】
送信機の中で使用するためのプロセッサであって、
少なくともタイミング情報を通信するように構成された第１の記号を送信する手段と；
第１のネットワークに関するネットワーク識別情報を含む第１の情報を通信するように構成された第２の記号を送信する手段と；
第２のネットワークに関するネットワーク識別情報を含む第２の情報を通信するように構成された第３の記号を送信する手段と、なお、前記第２のネットワークに関する前記ネットワーク識別情報は、前記第１のネットワークに関する前記ネットワーク識別情報の少なくとも一部分を含む；
を備えるプロセッサ。
【請求項２８】
トランシーバの中で使用するためのプロセッサであって、
第１のタイミング情報を前記トランシーバへ通信するように構成された第１の受信記号を処理する手段と；
第１のネットワークに関するネットワーク識別情報を含む第１の情報を通信するように構成された第２の受信記号を処理する手段と；
第２のネットワークに関するネットワーク識別情報を含む第２の情報を通信するように構成された第３の受信記号を選択的に処理する手段と、なお、前記第２のネットワークに関する前記ネットワーク識別情報は、前記トランシーバが前記第２のネットワークからデータを受信するように選択的に構成されるとき、前記第１のネットワークに関する前記ネットワーク識別情報の少なくとも一部分を含む；
を備えるプロセッサ。
【請求項２９】
命令の集合を用いて符号化されたコンピュータ可読媒体であって、前記命令は、
少なくともタイミング情報を通信するように構成された第１の記号を送信する命令と；
第１のネットワークに関するネットワーク識別情報を含む第１の情報を通信するように構成された第２の記号を送信する命令と；
第２のネットワークに関するネットワーク識別情報を含む第２の情報を通信するように構成された第３の記号を送信する命令と、なお、前記第２のネットワークに関する前記ネットワーク識別情報は、前記第１のネットワークに関する前記ネットワーク識別情報の少なくとも一部分を含む；
を備えるコンピュータ可読媒体。
【請求項３０】
命令の集合を用いて符号化されたコンピュータ可読媒体であって、前記命令は、
少なくともタイミング情報を前記トランシーバへ通信するように構成された第１の受信記号を処理する命令と；
第１のネットワークに関するネットワーク識別情報を含む第１の情報を通信するように構成された第２の受信記号を処理する命令と；
第２のネットワークに関するネットワーク識別情報を含む第２の情報を通信するように構成された第３の受信記号を選択的に処理する命令と、なお、前記第２のネットワークに関する前記ネットワーク識別情報は、前記トランシーバが前記第２のネットワークからデータを受信するように選択的に構成されるとき、前記第１のネットワークに関する前記ネットワーク識別情報の少なくとも一部分を含む；
を備えるコンピュータ可読媒体。
【発明の詳細な説明】
【技術分野】
【０００１】
本開示は、一般的には無線通信に関し、より具体的には、無線通信システム、例えば、直交周波数分割多重（ＯＦＤＭ）無線通信システムにおいて、ネットワーク識別子（ＩＤ）を通信（例えば、送信及び獲得）するシステムに関する。
【背景技術】
【０００２】
直交周波数分割多重（ＯＦＤＭ）は、高速ディジタル信号をブロードキャストする手法である。ＯＦＤＭシステムにおいて、単一の高速データ・ストリームは、幾つかの並列低速サブストリームへ分割され、各サブストリームは、それぞれの副搬送波周波数を変調するために使用される。注意すべきは、本発明は直角振幅変調(quadrature amplitude modulation)に関して説明されるが、位相偏移変調(phase shift keyed modulation)システムへ等しく適用できることである。
【０００３】
ＯＦＤＭシステムで使用される変調手法は、直角振幅変調（ＱＡＭ）と呼ばれる。ＱＡＭでは、搬送波周波数の位相及び振幅の双方が変調される。ＱＡＭ変調において、複数のデータ・ビットから複素ＱＡＭ記号が生成され、各記号は実数項及び虚数項を含み、各記号は、それが生成された複数のデータ・ビットを表す。複数のＱＡＭビットは、複素平面によって図式的に表され得るパターンで一緒に送信される。典型的には、パターンは、「配置(constellation)」と呼ばれる。ＱＡＭ変調を使用することによって、ＯＦＤＭシステムは、システムの効率を改善することができる。
【０００４】
信号がブロードキャストされるとき、１つを超えるパスによって信号が受信機へ伝搬されることが発生する。例えば、単一の送信機からの信号は、直線に沿って受信機へ伝搬する、また信号は物理的物体から反射され、異なるパスに沿って受信機へ伝搬する。更に、システムがいわゆる「セルラ」ブロードキャスティング手法を使用してスペクトル効率を増進するとき、受信機へ意図された信号が、１つを超える送信機によってブロードキャストされることが起こる。こうして、１つを超えるパスに沿って、同じ信号が受信機へ送信される。信号のそのような並列伝搬は、人工的（即ち、１つを超える送信機から同じ信号をブロードキャストすることによって引き起こされる）か、自然的（即ち、エコーによって引き起こされる）かを問わず、「マルチパス」と呼ばれる。セルラ・ディジタル・ブロードキャスティングはスペクトル的に効率的であるが、マルチパス考慮に効果的に対処する準備が行われなければならないことは、容易に了解される。
【０００５】
幸いなことに、ＱＡＭ変調を使用するＯＦＤＭシステムは、マルチパス条件の存在において（上記で述べられたように、セルラ・ブロードキャスト手法が使用されるとき起こるに違いない）、単一の搬送波周波数のみが使用されるＱＡＭ変調手法よりも有効である。より具体的には、単一搬送波ＱＡＭシステムでは、複素等化器(complex equalizer)が使用されて、プライマリー・パスと同じくらい強いエコーを有する通信路を等化しなければならず、そのような等化は実行するのに困難である。対照的に、ＯＦＤＭシステムでは、各記号(symbol)の始めに適当な長さのガード区間を単純に挿入することによって、複素等化器の必要性が全く削除される。したがって、マルチパス条件が期待されるとき、ＱＡＭ変調を使用するＯＦＤＭシステムが好ましい。
【０００６】
典型的なトレリス符号化スキーム(trellis coding scheme)において、データ・ストリームは、畳み込み符号器(convolutional encoder)を用いて符号化され、次いで継続するビットは、ＱＡＭ記号(QAM symbol)となるビット・グループへ結合される。幾つかのビットがグループの中にあり、グループ当たりのビットの数は、整数「ｍ」によって定義される（こうして、各グループは「ｍ項(m-ary)」次元を有すると呼ばれる）。典型的には、「ｍ」の値は４、５、６、又は７である。もっとも、それらよりも多くても少なくてもよい。
【０００７】
ビットをマルチビット記号へグループ化した後、記号はインタリーブされる。「インタリービング」は記号ストリームが系列において再配列されることを意味し、それによって通信路劣化によって引き起こされた潜在的誤りをランダム化する。例で説明するため、５つの語が送信されることを想定する。非インタリーブド信号の送信中に、一時的通信路妨害が生起すると仮定する。これらの状況のもとで、通信路妨害が衰える前に、語の全体が失われ得る。失われた語によってどのような情報が伝達されたかを知ることは、不可能ではないにしても困難である。
【０００８】
対照的に、５つの語の文字が送信前に逐次に再配列されて（即ち、「インタリーブされて」）、通信路妨害が生起するのであれば、幾つかの文字、たぶん語当たり１つの文字が失われるかも知れない。しかしながら、再配列された文字を復号すると、語の幾つかは文字を失うにしても、５つの語の全てが現れるであろう。これらの状況のもとでは、ディジタル復号器が実質的にデータの全体を回復することは比較的容易であることが直ちに了解されるであろう。ｍ項記号をインタリーブした後、上記で注意されたＱＡＭ原理を使用して記号が複素記号へマップされ、それぞれの副搬送波通信路へ多重化されて送信される。
【発明の概要】
【０００９】
本開示の態様によれば、通信システムにおいてネットワーク識別子を送信する方法が開示される。この方法は、少なくともタイミング情報を通信するように構成された第１の記号を送信することと、第１のネットワークに関するネットワーク識別情報を含む第１の情報を通信するように構成された第２の記号を送信することと、第２のネットワークに関するネットワーク識別情報を含む第２の情報を通信するように構成された第３の記号を送信することとを含み、ここで第２のネットワークに関するネットワーク識別情報は、第１のネットワークに関するネットワーク識別情報の少なくとも一部分を含む。
【００１０】
本開示の他の態様によれば、トランシーバの中で通信システムにおけるネットワーク識別子を決定する方法が開示される。この方法は、第１のタイミング情報をトランシーバへ通信するように構成された第１の受信記号を処理することを含む。この方法は、第１のネットワークに関するネットワーク識別情報を含む第１の情報を通信するように構成された第２の受信記号を処理することを更に含む。最後に、この方法は、第２のネットワークに関するネットワーク識別情報を含む第２の情報を通信するように構成された第３の受信記号を選択的に処理することを含み、ここで第２のネットワークに関するネットワーク識別情報は、トランシーバが第２のネットワークからデータを受信するように選択的に構成されるとき、第１のネットワークに関するネットワーク識別情報の少なくとも一部分を含む。
【００１１】
本開示の更に他の態様によれば、送信機で使用するためのプロセッサが開示される。プロセッサは、少なくともタイミング情報を通信するように構成された第１の記号を送信し、また第１のネットワークに関するネットワーク識別情報を含む第１の情報を通信するように構成された第２の記号を送信するように構成される。追加的に、プロセッサは、第２のネットワークに関するネットワーク識別情報を含む第２の情報を通信するように構成された第３の記号を送信するように構成され、ここで第２のネットワークに関するネットワーク識別情報は、第１のネットワークに関するネットワーク識別情報の少なくとも一部分を含む。
【００１２】
本開示の更に他の態様によれば、トランシーバ内で使用するためのプロセッサが開示される。プロセッサは、第１のタイミング情報をトランシーバへ通信するように構成された第１の受信記号を処理し、また第１のネットワークに関するネットワーク識別情報を含む第１の情報を通信するように構成された第２の受信記号を処理するように構成される。プロセッサは、第２のネットワークに関するネットワーク識別情報を含む第２の情報を通信するように構成された第３の受信記号を選択的に処理するように更に構成され、ここで第２のネットワークに関するネットワーク識別情報は、トランシーバが第２のネットワークからデータを受信するように選択的に構成されるとき、第１のネットワークに関するネットワーク識別情報の少なくとも一部分を含む。
【００１３】
本開示の更に他の態様によれば、送信機内で使用するため、少なくともタイミング情報を通信するように構成された第１の記号を送信する手段を有するプロセッサが開示される。プロセッサは、第１のネットワークに関するネットワーク識別情報を含む第１の情報を通信するように構成された第２の記号を送信する手段、及び第２のネットワークに関するネットワーク識別情報を含む第２の情報を通信するように構成された第３の記号を送信する手段を更に含み、ここで第２のネットワークに関するネットワーク識別情報は、第１のネットワークに関するネットワーク識別情報の少なくとも一部分を含む。
【００１４】
本開示の更に他の態様によれば、トランシーバ内で使用するためのプロセッサが開示される。プロセッサは、第１のタイミング情報をトランシーバへ通信するように構成された第１の受信記号を処理する手段、及び第１のネットワークに関するネットワーク識別情報を含む第１の情報を通信するように構成された第２の受信記号を処理する手段を含む。プロセッサは、第２のネットワークに関するネットワーク識別情報を含む第２の情報を通信するように構成された第３の受信記号を選択的に処理する手段を更に含み、ここで第２のネットワークに関するネットワーク識別情報は、トランシーバが第２のネットワークからデータを受信するように選択的に構成されるとき、第１のネットワークに関するネットワーク識別情報の少なくとも一部分を含む。
【００１５】
本開示の更に他の態様によれば、命令の集合を用いて符号化されたコンピュータ可読媒体が開示される。命令は、少なくともタイミング情報を通信するように構成された第１の記号を送信する命令、第１のネットワークに関するネットワーク識別情報を含む第１の情報を通信するように構成された第２の記号を送信する命令、及び第２のネットワークに関するネットワーク識別情報を含む第２の情報を通信するように構成された第３の記号を送信する命令を含み、ここで第２のネットワークに関するネットワーク識別情報は、第１のネットワークに関するネットワーク識別情報の少なくとも一部分を含む。
【００１６】
本開示の１つの更なる態様によれば、命令の集合を用いて符号化されたコンピュータ可読媒体が開示される。命令は、少なくともタイミング情報をトランシーバへ通信するように構成された第１の受信記号を処理する命令、第１のネットワークに関するネットワーク識別情報を含む第１の情報を通信するように構成された第２の受信記号を処理する命令、及び第２のネットワークに関するネットワーク識別情報を含む第２の情報を通信するように構成された第３の受信記号を選択的に処理する命令を含み、ここで第２のネットワークに関するネットワーク識別情報は、トランシーバが第２のネットワークからデータを受信するように選択的に構成されるとき、第１のネットワークに関するネットワーク識別情報の少なくとも一部分を含む。
【図面の簡単な説明】
【００１７】
【図１】（Ａ）は実施形態に従った通信路インタリーバを示し、（Ｂ）は他の実施形態に従った通信路インタリーバを示す。
【図２Ａ】実施形態に従ったインタリービング・バッファの中に置かれたターボ・パケットの符号ビットを示す。
【図２Ｂ】実施形態に従ってＮ／ｍ行×ｍ列行列へ配列されたインタリーバ・バッファを示す。
【図３】実施形態に従ったインタリーブド・インタレース表を図解する。
【図４】実施形態に従ったチャネル化線図を示す。
【図５】実施形態に従って、オール１（all one's）のシフティング系列が、特定のスロットについて良好及び貧弱な通信路推定値の長いランを生じるチャネル化線図を示す。
【図６】オール２（all two's）のシフティング系列が、均一に拡散された良好及び貧弱な通信路推定インタレースを生じるチャネル化線図を示す。
【図７】実施形態に従ったインタリービングを実現するように構成された無線デバイスを示す。
【図８】物理層パケットについての例示的フレーム・チェック系列計算のブロック（block）図を示す。
【図９】例示的ＯＦＤＭ記号の持続時間の線図を示す。
【図１０】例示的スーパフレームの構造及び通信路構造を示す。
【図１１】送信機における例示的ＴＤＭパイロット１パケット処理のブロック図を示す。
【図１２】ＴＤＭパイロット１副搬送波を変調する例示的ＰＮ系列生成器を示す。
【図１３】ＱＰＳＫ変調についての例示的信号点配置を示す。
【図１４】ＴＤＭパイロット２／ＷＩＣ／ＬＩＣ／ＦＤＭパイロット／ＴＰＣ／データ通信路内の割り振られないスロット／送信機内の予約ＯＦＤＭ記号の固定パターン処理を図解するブロック図を示す。
【図１５】広域識別通信路内のスロット割り振りの例である。
【図１６】例示的スロット・ビット・スクランブラを示す。
【図１７】例示的ＬＩＣスロット割り振りのブロック図を示す。
【図１８】例示的ＴＤＭパイロット２スロット割り振りのブロック図を示す。
【図１９】送信機内のＯＩＳ物理層パケット処理を図解するブロック図を示す。
【図２０】例示的広域／ローカルエリアＯＩＳ通信路符号器のブロック図を示す。
【図２１】例示的ターボ符号器アーキテクチャのブロック図を示す。
【図２２】ターボ・インタリーバ出力アドレスを計算する手続きのブロック図を示す。
【図２３】Ｎ＝２０である場合の例示的ビット・インタリーバ動作のブロック図を示す。
【図２４】データ・スロット・バッファへの広域ＯＩＳ通信路ターボ符号化パケット・マッピングのブロック図を示す。
【図２５】データ・スロット・バッファへのローカルエリアＯＩＳターボ符号化パケット・マッピングを示す。
【図２６】送信機内でデータ通信路物理層パケットを処理する手続きを図解するブロック図を示す。
【図２７】例示的データ通信路符号器のブロック図を示す。
【図２８】層状変調についてスロット・バッファを充填するための基底（Base）及び向上成分ビットの例示的インタリービングを示す。
【図２９】３つのデータ・スロット・バッファを占めるデータ通信路ターボ符号化パケットを示す。
【図３０】３つのデータ・スロット・バッファを占める基底及び向上成分ターボ符号化パケットの多重化の例を示す。
【図３１】３つのデータ・スロット・バッファを占めるデータ通信路ターボ符号化パケットの例を示す。
【図３２】フレーム内の３つの連続ＯＦＤＭ記号にわたる複数ＭＬＣへのスロット割り振りの例を示す。
【図３３】１６−ＱＡＭ変調についての例示的信号点配置を示す。
【図３４】層状変調についての例示的信号点配置を示す。
【図３５】ＦＤＭパイロットへのインタレース割り振りの線図を示す。
【図３６】スロットへのインタレース割り振りの線図を示す。
【図３７】例示的ＯＦＤＭ共通動作のブロック図を示す。
【図３８】１つの例に従ったウィンドウ化（windowed）ＯＦＤＭ記号の重複を図解する線図を示す。図３３は、１６−ＱＡＭ変調についての例示的信号点配置を示す。
【図３９】記号ＴＤＭ  １、ＴＤＭ  ２、及びＴＤＭ  ３を含む例示的フレーム・プリアンブル（preamble）を示す。
【図４０】図３９の記号ＴＤＭ  ２におけるＷＯＩパイロット通信路についてのインタレース割り振りの線図を示す。
【図４１】図３９の記号ＴＤＭ  ３におけるＷＯＩ及びＬＯＩパイロット通信路についてのインタレース割り振りの線図を示す。
【図４２】図３９の記号ＴＤＭ  ２及びＴＤＭ  ３の少なくとも１つについての例示的記号サンプリング期間を示す。
【図４３】図３９の記号を受信する例示的トランシーバを図解する線図を示す。
【図４４】タイミング獲得のために情報をトランシーバへ通信する無線記号（例えば、ＴＤＭ  １、ＴＤＭ  ２、及びＴＤＭ  ３）を送信する方法の例示的流れ図を示す。
【図４５】トランシーバ内で通信システムにおけるネットワーク識別子を決定する方法の例示的流れ図を示す。
【図４６】図３９で示されるような無線記号を送信する装置の例示的ブロック図を示す。
【図４７】図３９で示されるような無線記号を受信する装置の例示的ブロック図を示す。
【発明の詳細な説明】
【００１８】
実施形態において、通信路インタリーバはビット・インタリーバ(bit interleaver)及び記号インタリーバ(symbol interleaver)を備える。図１は、２つの型の通信路インタリービング・スキームを示す。双方のスキームは、ビット・インタリービング及びインタレーシングを使用して、最大通信路ダイバーシティを達成する。
【００１９】
図１（Ａ）は実施形態に従った通信路インタリーバを示す。図１（Ｂ）は、他の実施形態に従った通信路インタリーバを示す。図１（Ｂ）のインタリーバは、単にビット・インタリーバを使用してｍ項変調ダイバーシティを達成し、２次元インタリーブド・インタレース表及びランタイムスロット・インタレース・マッピングを使用して周波数ダイバーシティを達成する。周波数ダイバーシティは、明示的な記号インタリービングの必要なしに、より良好なインタリービング性能を提供する。
【００２０】
図１（Ａ）は、ビット・インタリービング・ブロック１０４へ入力されるターボ符号化ビット(Turbo coded bits)１０２を示す。ビット・インタリービング・ブロック１０４は、インタリーブド・ビットを出力し、インタリーブド・ビットは配置記号マッピング(constellation symbol mapping)・ブロック１０６へ入力される。配置記号マッピング・ブロック１０６は配置記号マップド（mapped）ビットを出力し、配置記号マップド・ビットは配置記号インタリービング・ブロック１０８へ入力される。配置記号インタリービング・ブロック１０８は配置記号インタリーブド・ビットをチャネル化ブロック１１０へ出力する。チャネル化ブロック１１０はインタレース表１１２を使用して配置記号インタリーブド・ビットをインタレースし、ＯＦＤＭ記号１１４を出力する。
【００２１】
図１（Ｂ）は、ビット・インタリービング・ブロック１５４へ入力されるターボ符号化ビット１５２を示す。ビット・インタリービング・ブロック１５４はインタリーブド・ビットを出力し、インタリーブド・ビットは配置記号マッピング・ブロック１５６へ入力される。配置記号マッピング・ブロック１５は配置記号マップド・ビットを出力し、配置記号マップド・ビットはチャネル化ブロック１５８へ入力される。チャネル化ブロック１５８は、インタリーブド・インタレース表及びダイナミックスロット・インタレース・マッピング１６０を使用して配置記号インタリーブド・ビットをチャネル化し、ＯＦＤＭ記号１６２を出力する。
【００２２】
［変調ダイバーシティのためのビット・インタリービング］
図１（Ｂ）のインタリーバはビット・インタリービング１５４を使用して変調ダイバーシティを達成する。ターボ・パケットの符号ビット１５２は、隣接する符号ビットが異なる配置記号へマップされるようなパターンでインタリーブされる。例えば、２ｍ項変調(2m-Ary modulation)の場合、Ｎビット・インタリーバ・バッファはＮ／ｍ個のブロックへ分割される。図２Ａで示されるように、隣接する符号ビットは、隣接するブロックへ逐次に書き込まれ、次いでバッファの始めから終わりへ逐次の順序で１つずつ読み出される。これは、隣接する符号ビットが、異なる配置記号へマップされることを保証する。同様に、図２Ｂで図解されるように、インタリーバ・バッファはＮ／ｍ行×ｍ列の行列へ配列される。符号ビットは列ごとにバッファへ書き込まれ、行ごとに読み出される。マッピングに依存する１６ＱＡＭについて、配置記号の或るビットは他のビットよりも信頼できる事実、例えば、第１及び第３のビットは第２及び第４のビットよりも信頼できる事実に起因して、隣接する符号ビットが配置記号の同じビット位置へマップされるのを回避するため、行は左から右及び右から左へと交替して読み出される。
【００２３】
図２Ａは、実施形態に従ってインタリービング・バッファ２０４の中へ置かれたターボ・パケット２０２の符号ビットを示す。図２Ｂは、実施形態に従ったビット・インタリービング動作の図解である。ターボ・パケット２５０の符号ビットは、図２Ｂで示されるように、インタリービング・バッファ２５２の中へ置かれる。実施形態に従って、インタリービング・バッファ２５２は第２及び第３の列を交換することによって変換され、それによってインタリービング・バッファ２５４を作り出す。ここでｍ＝４である。ターボ・パケット２５６のインタリーブド符号ビットは、インタリービング・バッファ２５４から読み出される。
【００２４】
簡単にするため、最高変調レベルが１６であれば、また、符号ビット長が常に４で割ることができれば、固定されたｍ＝４が使用されてもよい。この場合、ＱＰＳＫのための分離を改善するため、中央の２つの列は読み出される前に交換される。この手続きは図２Ｂで描写される。任意の２つの列を交換してもよいことは当業者に明らかであろう。列を任意の順序に置いてもよいことも当業者に明らかであろう。行を任意の順序に置いてもよいことも当業者に明らかであろう。
【００２５】
他の実施形態では、最初のステップとして、ターボ・パケット２０２の符号ビットはグループへ配分される。図２Ａ及び図２Ｂの双方の実施形態も、符号ビットをグループへ配分することに注意されたい。しかしながら、行又は列を単純に交換するのではなく、各グループの中の符号ビットは各々の所与のグループについてグループ・ビット順序に従って再編成(shuffle)される。こうしてグループへ配分された後の１６個の符号ビットの４つのグループの順序は、グループの単純な線形順序づけを使用して｛１,５,９,１３｝｛２,６,１０,１４｝｛３,７,１１,１５｝｛４,８,１２,１６｝となり、再編成された後の１６個の符号ビットの４つのグループの順序は、｛１３,９,５,１｝｛２,１０,６,１４｝｛１１,７,１５,３｝｛１２,８,４,１６｝となる。注意すべきは、行又は列の交換が、このグループ内再編成の回帰の場合(regressive case)になることである。
【００２６】
［周波数ダイバーシティのためのインタリーブド・インタレース］
実施形態によれば、通信路インタリーバは、配置記号インタリービングのためにインタリーブド・インタレースを使用して周波数ダイバーシティを達成する。これは、明示的配置記号インタリービングの必要性を削除する。インタリービングは２つのレベルで遂行される。
【００２７】
インタレースの中又はインタレース内のインタリービング：実施形態において、インタレースの５００の副搬送波がビット逆転様式(bit-reversal fashon)でインタリーブされる。
【００２８】
インタレースの間又はインタレース間のインタリービング：実施形態において、８つのインタレースがビット逆転様式でインタリーブされる。
【００２９】
副搬送波の数は５００以外であってもよいことは当業者に明らかであろう。インタレースの数は８以外であってもよいことも当業者に明らかであろう。
【００３０】
注意すべきは、５００は２の累乗ではないので、実施形態に従って縮小セット・ビット逆転動作が使用されることである。次のコードは動作を示す。
【００３１】
ｖｅｃｔｏｒ＜ｉｎｔ＞ｒｅｄｕｃｅｄＳｅｔＢｉｔＲｅｖ（ｉｎｔ  ｎ）
｛
ｉｎｔ  ｍ＝ｅｘｐｏｎｅｎｔ（ｎ）；
ｖｅｃｔｏｒ＜ｉｎｔ＞ｙ（ｎ）；
ｆｏｒ（ｉｎｔ  ｉ＝０，ｊ＝０；ｉ＜ｎ；ｉ＋＋，ｊ＋＋）
｛
ｉｎｔ  ｋ；
ｆｏｒ（；（ｋ＝ｂｉｔＲｅｖ（ｊ，ｍ））＞＝ｎ；ｊ＋＋）；
ｙ［ｉ］＝ｋ；
｝
ｒｅｔｕｒｎ  ｙ；
｝
ここで、ｎ＝５００、ｍは、２ｍ＞ｎであるような最小の整数であって、これは８であり、ｂｉｔＲｅｖは正規のビット逆転動作である。
【００３２】
データ通信路の配置記号系列の記号は、実施形態によれば、図３に描写されるようなインタレース表を使用してチャネル化器(Channelizer)によって決定された割り当てスロットインデックスに従って、逐次の線形様式で対応する副搬送波へマップされる。
【００３３】
図３は、実施形態に従ったインタリーブド・インタレース表を図解する。ターボ・パケット３０２、配置記号３０４、及びインタリーブド・インタレース表３０６が示される。インタレース３（３０８）、インタレース４（３１０）、インタレース２（３１２）、インタレース６（３１４）、インタレース１（３１６）、インタレース５（３１８）、インタレース３（３２０）、及びインタレース７（３２２）も示される。
【００３４】
実施形態において、８つのインタレースからの１つがパイロットのために使用される。即ち、インタレース２及びインタレース６がパイロットのために交替で使用される。結果として、チャネル化器はスケジューリングのために７つのインタレースを使用することができる。便宜的に、チャネル化器はスロットをスケジューリング単位として使用する。スロットはＯＦＤＭ記号の１つのインタレースとして定義される。インタレース表はスロットを特定のインタレースへマップするために使用される。８つのインタレースが使用されるので、８つのスロットが存在する。チャネル化にで使用するため７つのスロットが取り分けられ、１つのスロットがパイロットに取り分けられる。図４で示されるように、一般性を失うことなく、スロット０はパイロットに使用され、スロット１から７はチャネル化に使用される。図４において、垂直軸はスロットインデックス４０２であり、水平軸はＯＦＤＭ記号インデックス４０４であり、太字項目はＯＦＤＭ記号時間に対応スロットへ割り当てられたインタレースインデックスである。
【００３５】
図４は、実施形態に従ったチャネル化線図を示す。図４はスケジューラ４０６に予約されたスロットインデックス及びパイロット４０８に予約されたスロットインデックスを示す。太字項目はインタレースインデックス番号である。正方形を有する番号はパイロットに隣接したインタレースであり、結果として良好な通信路推定値を有する。
【００３６】
正方形で取り囲まれた番号はパイロットに隣接したインタレースであり、結果として良好な通信路推定値を有する。スケジューラは近接スロット及びＯＦＤＭ記号の塊をデータ通信路へ常に割り当てるので、インタレース間インタリービングに起因してデータ通信路へ割り当てられる近接スロットは、非連続インタレースへマップされることは明らかである。より多くの周波数ダイバーシティ利得がそれゆえに達成され得る。
【００３７】
しかしながら、この静的割り当て（即ち、スロット対物理インタレース・マッピング表は、スケジューラ・スロット表がパイロット・スロットを含まない場合、時間と共に変化しない）、１つの問題で苦しむ。即ち、データ通信路割り当てブロック（長方形であると仮定する）が複数のＯＦＤＭ記号を占めるならば、データ通信路へ割り当てられたインタレースは時間と共に変化せず、周波数ダイバーシティの損失を生じる結果となる。救済策は、ＯＦＤＭ記号からＯＦＤＭ記号へとスケジューラ・インタレース表を（即ち、パイロット・インタレースを除外して）単純に循環シフトすることである。
【００３８】
図５は、ＯＦＤＭ記号当たり１回だけスケジューラ・インタレース表をシフトする動作を描写する。このスキームは静的インタレース割り当て問題を成功裏に破壊する。即ち、特定のスロットが、異なるＯＦＤＭ記号時間に異なるインタレースへマップされる。
【００３９】
図５は、実施形態に従って、オール１のシフティング系列が、特定のスロット５０２について良好及び貧弱な通信路推定値の長いランを生じる結果となるチャネル化線図を示す。図５は、スケジューラに予約されたスロットインデックス５０６及びパイロットに予約されたスロットインデックス５０８を示す。スロット記号インデックス５０４は水平軸上で示される。
【００４０】
しかしながら、スロットは良好な通信路推定値を有する４つの連続インタレースを割り当てられ、その後に貧弱な通信路推定値を有するインタレースの長いランが続くことが注目される。これは、良好な通信路推定値インタレースの短いラン及び貧弱な通信路推定値を有するインタレースの短いランという好ましいパターンと対比される。図において、パイロット・インタレースに隣接するインタレースは、正方形でマークされる。良好及び貧弱な通信路推定値の長いランという問題への解決法は、オール１の系列以外のシフティング系列を使用することである。この仕事を充足するために使用され得る多くの系列が存在する。最も単純な系列は、オール２の系列である。即ち、スケジューラ・インタレース表は、ＯＦＤＭ記号当たり１回の代わりに２回シフトされる。結果は図６に示される。この結果は、チャネル化器インタレース・パターンを著しく改善する。このパターンは、２×７＝１４のＯＦＤＭ記号ごとに反復することに注意されたい。ここで、２はパイロット・インタレース不安定期間であり、７はチャネル化器インタレース・シフティング期間である。
【００４１】
送信機及び受信機の双方で動作を単純化するため、簡単な公式を使用して、所与のＯＦＤＭ記号時間におけるスロットからインタレースへのマッピングを決定することができる。
【００４２】
ｉ＝Ｒ'{(Ｎ−((Ｒ×ｔ)％Ｎ)＋ｓ−１)％Ｎ}
ここで、
Ｎ＝Ｉ−１は、トラフィックデータ・スケジューリングに使用されるインタレースの数であり、Ｉはインタレースの総数である。
【００４３】
ｉ∈{０,１,・・・,Ｉ−１}は、パイロット・インタレースを除き、ＯＦＤＭ記号tにおけるスロットｓがマップするインタレースインデックスである。
【００４４】
ｔ＝０,１,・・・,Ｔ−１は、スーパフレーム内のＯＦＤＭ記号インデックスであり、Ｔはフレーム１におけるＯＦＤＭ記号の総数である。
【００４５】
（注記）  １フレームではなくスーパフレームの中のＯＦＤＭ記号インデックスは、追加のダイバーシティをフレームへ与える。というのは、現在の設計におけるフレーム内のＯＦＤＭ記号の数は、１４で割り切れないからである。
【００４６】
ｓ＝１,２,・・・,Ｓ−１、ｓはスロットインデックスであり、Ｓはスロットの総数である。
【００４７】
ＲはＯＦＤＭ記号当たりのシフト回数である。
【００４８】
Ｒ'は、縮小セット・ビット逆転演算子(reduced-set bit-reversal operator)である。即ち、パイロットによって使用されるインタレースは、ビット逆転動作から除外される。
【００４９】
例：実施形態において、Ｉ＝８、Ｒ＝２である。対応するスロット・インタレース・マッピング公式は、次のようになる。
【００５０】
ｉ＝Ｒ'{(７−((２×ｔ)％７)+ｓ−１)％７}
ここで、Ｒ'は次の表に対応する。
【００５１】
ｘ⇒Ｒ'{ｘ}
０⇒０
１⇒４
２⇒２又は６
３⇒１
４⇒５
５⇒３
６⇒７
この表は、次のコードによって生成され得る。
【００５２】
ｉｎｔ  ｒｅｄｕｃｅｄＳｅｔＢｉｔＲｅｖ（ｉｎｔ  ｘ，ｉｎｔ  ｅｘｃｌｕｄｅ，ｉｎｔ  ｎ）
｛
ｉｎｔ  ｍ＝ｅｘｐｏｎｅｎｔ（ｎ）；
ｉｎｔ  ｙ；
ｆｏｒ  （ｉｎｔ  ｉ＝０；ｊ＝０；ｉ＜＝ｘ；ｉ＋＋，ｊ＋＋）
｛
ｆｏｒ（；（ｙ＝ｂｉｔＲｅｖ（ｊ，ｍ））＝＝ｅｘｃｌｕｄｅ；ｊ＋＋）；
｝
ｒｅｔｕｒｎ  ｙ；
｝
ここで、ｍ＝３であり、ｂｉｔＲｅｖは正規のビット逆転動作である。
【００５３】
ＯＦＤＭ記号ｔ＝１１の場合、パイロットはインタレース６を使用する。スロットとインタレースとの間のマッピングは、次のようになる。
【００５４】
スロット１は、Ｒ'{(７−(２×１１)％７＋１−１)％７}＝Ｒ{６}＝７のインタレースへマップする。
【００５５】
スロット２は、Ｒ'{(７−(２×１１)％７＋２−１)％７}＝Ｒ{０}＝０のインタレースへマップする。
【００５６】
スロット３は、Ｒ'{(７−(２×１１)％７＋３−１)％７}＝Ｒ{１}＝４のインタレースへマップする。
【００５７】
スロット４は、Ｒ'{(７−(２×１１)％７＋４−１)％７}＝Ｒ{２}＝２のインタレースへマップする。
【００５８】
スロット５は、Ｒ'{(７−(２×１１)％７＋５−１)％７}＝Ｒ{３}＝１のインタレースへマップする。
【００５９】
スロット６は、Ｒ'{(７−(２×１１)％７＋６−１)％７}＝Ｒ{４}＝５のインタレースへマップする。
【００６０】
スロット７は、Ｒ'{(７-(２×１１)％７＋７−１)％７7}＝Ｒ{５}＝３のインタレースへマップする。
【００６１】
結果のマッピングは、図６のマッピングと一致する。図６はチャネル化線図を示し、オール２のシフティング系列は、均一に拡散した良好及び貧弱な通信路推定値インタレースを生じる結果となる。
【００６２】
実施形態によれば、インタリーバは次の特徴を有する。
【００６３】
ビット・インタリーバは、符号ビットを異なる変調記号へインタリーブすることによって、ｍ項変調ダイバーシティを活用するように設計される。
【００６４】
「記号インタリービング」は、インタレース内インタリービング及びインタレース間インタリービングによって周波数ダイバーシティを達成するように設計される。
【００６５】
スロット・インタレース・マッピング表をＯＦＤＭ記号からＯＦＤＭ記号へ変更することによって、追加の周波数ダイバーシティ利得及び通信路推定利得が達成される。この目的を達成するために、単純な回転系列が提案される。
【００６６】
図７は、実施形態に従ってインタリービングを実現するように構成された無線デバイスを示す。無線デバイス７０２は、アンテナ７０４、デュプレクサ７０６、受信機７０８、送信機７１０、プロセッサ７１２、及びメモリ７１４を備える。プロセッサ７１２は、実施形態に従ってインタリービングを遂行することができる。プロセッサ７１２は、バッファ又はデータ構造のためにメモリ７１４を使用して自分の動作を遂行する。
【００６７】
次の説明は、更なる実施形態の詳細を含む。
【００６８】
物理層の送信単位は物理層パケットである。物理層パケットは１０００ビットの長さを有する。物理層パケットは１つのＭＡＣ層パケットを搬送する。
【００６９】
［物理層パケットの形式］
物理層パケットは、次の形式を使用する。
【表１】
2010503288.tif 000003
【００７０】
ここで、ＭＡＣ層パケットは、ＯＩＳ、データ、又は制御通信路ＭＡＣプロトコルからのＭＡＣ層パケットである。ＦＣＳはフレーム・チェック系列である。予約は、予約されたビットであり、ＦＬＯネットワークはこのフィールドをゼロへ設定し、ＦＬＯデバイスはこのフィールドを無視する。尾部は符号器の尾部ビットであり、オール「０」へ設定される。
【００７１】
次の表は、物理層パケットの形式を図解する。
【表２】
2010503288.tif 000004
【００７２】
［ビット送信順序］
物理層パケットの各フィールドは順々に送信され、最上位ビット（ＭＳＢ）が最初に送信され、最下位ビット（ＬＳＢ）が最後に送信される。ＭＳＢは文書の図面内で最左方のビットである。
【００７３】
［ＦＣＳビットの計算］
ここで説明されるＦＣＳ計算は、物理層パケット内のＦＣＳフィールドを計算するために使用される。
【００７４】
ＦＣＳは、次の標準ＣＲＣ−ＣＣＩＴＴ生成多項式を使用して、ＣＲＣ計算される。
【００７５】
ｇ(ｘ)＝ｘ１６＋ｘ１２＋ｘ５＋１
ＦＣＳは、図８でも図解される次の説明手続きに従って計算された値に等しい。
【００７６】
全てのシフト・レジスタ要素は、「１」へ初期化される。注意すべきは、レジスタを１へ初期化することは、オール・ゼロ・データのＣＲＣを非ゼロにすることである。
【００７７】
スイッチは、上方位置へ設定される。
【００７８】
レジスタは物理層パケットの各ビットについて１回クロックされるが、ＦＣＳ、予約、及び尾部ビットは例外である。物理層パケットは、ＭＳＢからＬＳＢへと読み出される。
【００７９】
スイッチは下方位置へ設定され、出力が「０」とのモジュロ（modulo）２加算となり、継続するシフト・レジスタ入力が「０」となるようにされる。
【００８０】
レジスタは、１６のＦＣＳビットについて追加の１６回クロックされる。
【００８１】
出力ビットは物理層パケットの全フィールドを形成するが、予約及び尾部フィールドは例外である。
【００８２】
［ＦＬＯネットワーク要件］
次の解説部分は、ＦＬＯネットワーク機器及び動作に特定された要件を定義する。
【００８３】
［送信機］
次の要件は、ＦＬＯネットワーク送信機へ適用される。送信機は８つの６ＭＨｚ広帯域の１つで動作するが、５、７、及び８ＭＨｚの送信帯域幅もサポートする。各々の６ＭＨｚ幅送信帯域割り振りは、ＦＬＯ  ＲＦ通信路と呼ばれる。各ＦＬＯ  ＲＦ通信路は、インデックスｊ∈{１,２,...８}によって表示される。各ＦＬＯ  ＲＦ通信路インデックスのための送信帯域及び帯域中心周波数は、下記の表１で指定されるとおりである。
【表３】
2010503288.tif 000005
【００８４】
実際の送信搬送波周波数と指定された送信周波数との間の最大周波数差は、表１の帯域中心周波数の±２×１０−９よりも小さい。
【００８５】
注意すべきは、帯域内スペクトル特性及び帯域外スペクトル・マスク（Spectrum Mask）が決定されることである。
【００８６】
電力出力特性は、送信ＥＲＰが４６.９８ｄＢＷよりも小さくなければならない。これは５０ｋＷに対応する。
【００８７】
［ＯＦＤＭ変調特性］
エアリンク上で使用される変調は、直交周波数分割多重（ＯＦＤＭ）である。最小送信区間は、１つのＯＦＤＭ記号期間に対応する。ＯＦＤＭ送信記号は、多くの別々に変調された副搬送波を備える。ＦＬＯシステムは４０９６の副搬送波を使用する。これらの副搬送波は０から４０９５の番号を付けられる。これらの副搬送波は２つの別々のグループへ分けられる。
【００８８】
副搬送波の最初のグループは利用可能な４０９６の副搬送波から成るガード副搬送波であり、９６は使用されない。これらの使用されない副搬送波はガード副搬送波と呼ばれる。エネルギーはガード副搬送波の上で送信されない。番号０から４７，２０４８、４０４９から４０９５の副搬送波はガード副搬送波として使用される。
【００８９】
第２のグループは能動副搬送波(active Sub-carriers)である。能動副搬送波は、インデックスｋ∈{４８..２０４７,２０４９..４０４８}を有する４０００の副搬送波から成るグループである。各能動副搬送波は変調記号を搬送する。
【００９０】
ＦＬＯシステム内の副搬送波の間隔に関しては、４０９６の副搬送波が６ＭＨｚ  ＦＬＯ  ＲＦ通信路の中心で５.５５ＭＨｚの帯域幅に広がる。副搬送波の間隔(Δｆ)ｓｃは次式によって与えられる。
【数１】
2010503288.tif 000006
【００９１】
副搬送波の周波数に関しては、ｋ番目のＦＬＯ  ＲＦ通信路（上記の表１を参照）内でインデックスｉを有する副搬送波の周波数ｆｓｃ(ｋ,ｉ)は、次式により計算される。
【００９２】
ｆｓｃ(ｋ,ｉ)＝ｆｃ(ｋ)＋(ｉ−２０４８)×(Δｆ)ｓｃ
ここでｆｃ(ｋ)は、ｋ番目のＦＬＯ  ＲＦ通信路のための中心周波数であり、(Δｆ)ｓｃは副搬送波の間隔である。
【００９３】
［副搬送波インタレース］
能動副搬送波は、０から７でインデックスされる８つのインタレースへ細分される。各インタレースは５００の副搬送波から成り立つ。インタレース内の副搬送波は、周波数において[８×(Δｆ)ｓｃ]Ｈｚだけ間隔を取られ（インタレース・ゼロは例外であり、このインタレースの中央の２つの副搬送波は１６×(Δｆ)ｓｃだけ離される。というのは、インデックス２０４８を有する副搬送波は使用されないからである）。(Δｆ)ｓｃは副搬送波の間隔である。
【００９４】
各インタレース内の副搬送波は、ＦＬＯ  ＲＦ通信路帯域幅の５.５５ＭＨｚに広がる。インデックスｉを有する能動副搬送波は、インタレースＩｊへ割り振られる。ここで、ｊ＝ｉ  ｍｏｄ  ８である。各インタレース内の副搬送波のインデックスは、昇順で逐次に配列される。インタレース内の副搬送波の番号づけは、０,１,...４９９の範囲である。
【００９５】
[フレーム及び通信路構造]
送信された信号はスーパフレームへ組織される。各スーパフレームは、１秒に等しい持続時間ＴＳＦを有し、１２００のＯＦＤＭ記号から成る。スーパフレーム内のＯＦＤＭ記号は、０から１１９９までの番号をつけられる。ＯＦＤＭ記号区間ＴＳは、８３３.３３．．．マイクロ秒（μs）である。ＯＦＤＭ記号は、ＯＦＤＭチップと呼ばれる多数の時間定義域ベースバンド標本から成る。これらのチップは、秒当たり５.５５×１０６の速度で送信される。
【００９６】
総計のＯＦＤＭ記号区間ＴＳ’は４つの部分を備える。即ち、図９で図解されるように、持続時間ＴＵを有する有用部分、持続時間ＴＦＧＩを有する平坦ガード区間、及び両側の持続時間ＴＷＧＩの２つの窓区間である。連続するＯＦＤＭ記号の間にはＴＷＧＩの重複が存在する（図９を参照）。
【００９７】
有効ＯＦＤＭ記号区間は、Ｔｓ＝ＴＷＧＩ＋ＴＦＧＩ＋ＴＵである。
【００９８】
ここで、
【数２】
2010503288.tif 000007
【００９９】
図９の総記号持続時間は、Ｔｓ'＝Ｔｓ＋ＴＷＧＩである。
【０１００】
有効ＯＦＤＭ記号持続時間は、今後はＯＦＤＭ記号区間(OFDM symbol interval)と呼ばれる。ＯＦＤＭ記号区間の間、変調記号は能動副搬送波の各々の上で搬送される。
【０１０１】
ＦＬＯ物理層通信路は、ＴＤＭパイロット通信路、ＦＤＭパイロット通信路、ＯＩＳ通信路、及びデータ通信路である。ＴＤＭパイロット通信路、ＯＩＳ通信路、及びデータ通信路は、スーパフレーム上で時分割多重化される。ＦＤＭパイロット通信路は、図１０で図解されるように、スーパフレーム上でＯＩＳ通信路及びデータ通信路と一緒に周波数分割多重化される。
【０１０２】
ＴＤＭパイロット通信路は、ＴＤＭパイロット１通信路、広域識別通信路（ＷＩＣ）、ローカルエリア識別通信路（ＬＩＣ）、ＴＤＭパイロット２通信路、遷移パイロット通信路（ＴＰＣ）、及び位置決めパイロット通信路（ＰＰＣ）を備える。ＴＤＭパイロット１通信路、ＷＩＣ、ＬＩＣ、及びＴＤＭパイロット２通信路の各々は１つのＯＦＤＭ記号に広がり、スーパフレームの始めに現れる。１つのＯＦＤＭ記号に広がる遷移パイロット通信路（ＴＰＣ）は、各々の広域及びローカルエリアのデータ又はＯＩＳ通信路送信に先行及び後続する。広域通信路（広域ＯＩＳ又は広域データ）の横に位置するＴＰＣは広域遷移パイロット通信路（ＷＴＰＣ）と呼ばれる。ローカルエリア通信路（ローカルエリアＯＩＳ又はローカルエリア・データ通信路）の横に位置するＴＰＣはローカルエリア遷移パイロット通信路（ＬＴＰＣ）と呼ばれる。ＷＴＰＣ及びＬＴＰＣの各々は１０のＯＦＤＭ記号を占め、一緒になってスーパフレーム内で２０のＯＦＤＭ記号を占める。ＰＰＣは可変持続時間を有し、ＰＰＣの状況（存在又は不在及び持続時間）はＯＩＳ通信路上で合図される。存在するとき、それはスーパフレームの終わりで６、１０、又は１４のＯＦＤＭ記号に広がる。ＰＰＣが不在であるとき、２つのＯＦＤＭ記号がスーパフレームの終わりで予約される。
【０１０３】
ＯＩＳ通信路は、スーパフレーム内で１０のＯＦＤＭ記号を占め、スーパフレーム内で最初のＷＴＰＣ  ＯＦＤＭ記号の直後に続く。ＯＩＳ通信路は、広域ＯＩＳ通信路及びローカルエリアＯＩＳ通信路を備える。広域ＯＩＳ通信路及びローカルエリアＯＩＳ通信路の各々は、５つのＯＦＤＭ記号の持続時間を有し、２つのＴＰＣ  ＯＦＤＭ記号によって分けられる。
【０１０４】
ＦＤＭパイロット通信路は、１１７４、１１７０、１１６６、又は１１６２のＯＦＤＭに広がる。これらの値は、スーパフレーム内の各スーパフレーム記号に存在する２つの予約ＯＦＤＭ記号又は６、１０、及び１４のＰＰＣ  ＯＦＤＭ記号のいずれかに、それぞれ対応する。注意されることは、これらの値が、各スーパフレーム内に存在する２つの予約ＯＦＤＭ記号又は６、１０、及び１４のＰＰＣ  ＯＦＤＭ記号のいずれかに、それぞれ対応することである。ＦＤＭパイロット通信路は、広域及びローカルエリアＯＩＳ及びデータ通信路と一緒に周波数分割多重化される。
【０１０５】
データ通信路は、１１６４、１１６０、１１５６、又は１１５２のＯＦＤＭ記号に広がる。注意されることは、これらの値が、各スーパフレーム内に存在する２つの予約ＯＦＤＭ記号又は６、１０、及び１４のＰＰＣ  ＯＦＤＭ記号のいずれかに、それぞれ対応することである。データ通信路送信、並びに各データ通信路送信の直前又は直後の１６のＴＰＣ  ＯＦＤＭ記号送信は、４つのフレームへ分割される。
【０１０６】
フレーム・パラメータを設定するとすれば、ＰはＰＰＣ内のＯＦＤＭ記号の数であるか、ＰＰＣがスーパフレーム内に不在である場合、予約されたＯＦＤＭ記号の数であり、Ｗはフレーム内で広域データ通信路に関連づけられたＯＦＤＭ記号の数であり、Ｌはフレーム内でローカルエリア・データ通信路に関連づけられたＯＦＤＭ記号の数であり、Ｆはフレーム内のＯＦＤＭ記号の数である。これらのフレーム・パラメータは、次の式集合によって関係づけられる。
【数３】
2010503288.tif 000008
【０１０７】
図１０は、Ｐ、Ｗ、及びＬに関してスーパフレーム及び通信路構造を図解する。ＰＰＣが不在のとき、各フレームは２９５のＯＦＤＭ記号に広がり、２４５.８３３３ミリ秒（ｍｓ）に等しい持続時間ＴＦを有する。注意されることは、各スーパフレームの終わりに２つの予約ＯＦＤＭ記号が存在することである。ＰＰＣがスーパフレームの終わりに存在するとき、各フレームは下記の表３で指定されるような可変数のＯＦＤＭ記号に広がる。
【表４】
2010503288.tif 000009
【０１０８】
各フレーム中のデータ通信路は、ローカルエリア・データ通信路と広域データ通信路との間で時分割多重化される。広域データへ割り振られたフレームの端数は、
【数４】
2010503288.tif 000010
【０１０９】
％であり、０から１００％まで変動する。
【０１１０】
ＯＩＳ通信路上を送信された物理層パケットはＯＩＳパケットと呼ばれ、データ通信路上を送信された物理層パケットはデータ・パケットと呼ばれる。
【０１１１】
［フロー成分及び層状変調］
ＦＬＯネットワーク上をマルチキャストされるフローに関連づけられたオーディオ又はビデオ・コンテンツは、２つの成分として送られてもよい。即ち、高拡散受信を享受する基底（Ｂ）成分(base component)と、より限定されたカバレージエリア上で基底成分によって提供されたオーディオ・ビジュアル経験を改善する向上（Ｅ）成分(enhancement component)である。
【０１１２】
基底及び向上成分の物理層パケットは、一緒に変調記号へマップされる。このＦＬＯ特徴は層状変調として知られる。
【０１１３】
［ＭｅｄｉａＦＬＯ論理通信路］
物理層によって送信されたデータ・パケットは、ＭｅｄｉａＦＬＯ論理通信路（ＭＬＣ）と呼ばれる１つ又は複数の仮想通信路に関連づけられる。ＭＬＣは、ＦＬＯデバイスにとって独立受信関心事となるＦＬＯサービス復号可能成分である。サービスは、複数のＭＬＣ上を送られてもよい。しかしながら、サービスに関連づけられたオーディオ又はビデオ・フローの基底及び向上成分は、単一のＭＬＣ上を送信される。
【０１１４】
［ＦＬＯ送信モード］
変調の型と内部コードレート(inner code rate)との組み合わせは、「送信モード」と呼ばれる。ＦＬＯシステムは、下記の表４で列挙された１２の送信モードをサポートする。
【０１１５】
ＦＬＯネットワークにおいて、ＭＬＣがインスタンス化（instantiated）されるとき送信モードは固定され、頻繁には変更されない。この制約は、各ＭＬＣについて不変のカバレージエリアを維持するために課される。
【表５】
2010503288.tif 000011
【０１１６】
（注記）  ２このモードはＯＩＳ通信路のみに使用される。
【０１１７】
［ＦＬＯスロット］
ＦＬＯネットワークにおいて、ＯＦＤＭ記号上でＭＬＣへ割り振られた帯域幅の最小単位は、５００の変調記号のグループに対応する。５００変調記号のこのグループは、スロットと呼ばれる。スケジューラ関数（ＭＡＣ層内の）はスーパフレームのデータ部分でスロットをＭＬＣへ割り振る。スケジューラ関数がＭＬＣへの送信のためにＯＦＤＭ記号内で帯域幅を割り振るとき、スロットの整数単位で割り振る。
【０１１８】
ＯＦＤＭ記号ごとに８つのスロットが存在するが、スーパフレーム内のＴＤＭパイロット１は例外である。これらのスロットは０から７までの番号をつけられる。ＷＩＣ及びＬＩＣ通信路の各々は１つのスロットを占める。ＴＤＭパイロット２通信路は４つのスロットを占める。ＴＰＣ（広域及びローカルエリア）は８つのスロットの全てを占める。ＦＤＭパイロット通信路はインデックス０を有する１つのスロットを占め、ＯＩＳ／データ通信路は１から７までのインデックスを有する７つのスロットまでを占める。各スロットはインタレース上を送信される。スロットからインタレースへのマッピングはＯＦＤＭ記号ごとに変動し、後で詳細に説明される。
【０１１９】
［ＦＬＯデータ転送速度］
ＦＬＯシステムにおいて、異なるＭＬＣが、異なるモードを利用するかも知れない事実によって、データ転送速度の計算は複雑になる。全てのＭＬＣが同じ送信モードを使用することを仮定することによって、データ転送速度の計算は単純化される。下記の表５は、７つのデータ・スロットの全てが使用されることを仮定して、異なる送信モードの物理層データ転送速度を与える。
【表６】
2010503288.tif 000012
【０１２０】
注意されることは、上記の表５において、「物理層データ転送速度」と名付けられた欄の値は、ＴＤＭパイロット通信路及び外部符号に起因するオーバヘッドが引かれていないことである。これは、データがデータ通信路中に送信される速度である。モード６から１１については、引用された速度は２つの成分の組み合わせ速度である。各成分の速度は、この値の半分である。
【０１２１】
［ＦＬＯ物理層通信路］
ＦＬＯ物理層は、次のサブチャネルを備える。即ち、ＴＤＭパイロット通信路、広域ＯＩＳ通信路、ローカルエリアＯＩＳ通信路、広域ＦＤＭパイロット通信路、ローカルエリアＦＤＭパイロット通信路、広域データ通信路、及びローカルエリア・データ通信路である。
【０１２２】
［ＴＤＭパイロット通信路］
ＴＤＭパイロット通信路は、次の成分通信路を備える。即ち、ＴＤＭパイロット１通信路、広域識別通信路（ＷＩＣ）、ローカルエリア識別通信路（ＬＩＣ）、及びＴＤＭパイロット２通信路、遷移パイロット通信路（ＴＰＣ）である。
【０１２３】
［ＴＤＭパイロット１通信路］
ＴＤＭパイロット１通信路は、１つのＯＦＤＭ記号に広がる。それは、スーパフレーム内のＯＦＤＭ記号インデックス０で送信される。それは新しいスーパフレームのスタートを合図する。それは、粗いＯＦＤＭ記号タイミング、スーパフレーム境界、及び搬送波周波数オフセットを決定するＦＬＯデバイスによって使用される。
【０１２４】
ＴＤＭパイロット１波形は、図１１で図解されるステップを使用して、送信機内で生成される。
【０１２５】
［ＴＤＭパイロット１副搬送波］
ＴＤＭパイロット１ＯＦＤＭ記号は、周波数定義域で１２４の非ゼロ副搬送波を備える。これらの副搬送波は、能動副搬送波の間で均一に間隔を空けられる。ｉ番目のＴＤＭパイロット１副搬送波は、次のように定義された副搬送波インデックスｊに対応する。
【数５】
2010503288.tif 000013
【０１２６】
ＴＤＭパイロット１通信路は、インデックス２０４８を有する副搬送波を使用しないことに注意されたい。
【０１２７】
［ＴＤＭパイロット１固定情報パターン］
ＴＤＭパイロット１副搬送波は、固定情報パターンで変調される。このパターンは、生成系列ｈ（Ｄ）＝Ｄ２０＋Ｄ１７＋１及び初期状態「１１１１００００１０００００００００００」を有する２０タップ線形フィードバックシフト・レジスタ（ＬＦＳＲ）を使用して生成される。各出力ビットは次のようにして得られる。即ち、ＬＦＳＲ状態がベクトル[ｓ２０ｓ１９ｓ１８ｓ１７ｓ１６ｓ１５ｓ１４ｓ１３ｓ１２ｓ１１ｓ１０ｓ９ｓ８ｓ７ｓ６ｓ５ｓ４ｓ３ｓ２ｓ１]であれば、出力ビットは[ｓ１９?ｓ４]になる。ここで、?はモジュロ２加算を表し、これはスロット１に関連づけられたマスクに対応する（この後に続く表６を参照）。ＬＦＳＲ構造は、図１２で指定されたようになる。
【０１２８】
固定情報パターンは、最初の２４８出力ビットに対応する。固定パターンの最初の３５ビットは、「１１０１０１００１００１１０１１０１１１００１１００１０１１００００１」であり、「１１０」が最初に現れる。
【０１２９】
２４８ビットＴＤＭパイロット１固定パターンは、ＴＤＭパイロット１情報パケットと呼ばれ、Ｐ１Ｉで表される。
【０１３０】
Ｐ１Ｉパケット内の２つの連続ビットから成る各グループは、ＱＰＳＫ変調記号を生成するために使用される。
【０１３１】
［変調記号マッピング］
ＴＤＭパイロット１情報パケットにおいて、それぞれｓ０及びｓ１と名付けられる２つの連続ビットＰ１Ｉ(２ｉ)及びＰ１Ｉ(２ｉ＋１)、ｉ＝０,１,...１２３、から成る各グループは、下記の表６で指定されるようにＤ＝４を有する複素変調記号ＭＳ＝(ｍＩ,ｍＱ)へマップされる。Ｄの因子は、４０００の利用可能な搬送波の１２４だけが使用される事実を使用して計算される。
【数６】
2010503288.tif 000014
【表７】
2010503288.tif 000015
【０１３２】
図１３は、ＱＰＳＫ変調のための信号点配置(signal constellation)を示す。
【０１３３】
［副搬送波への変調記号のマッピング］
ｉ番目の変調記号ＭＳ(ｉ),ｉ＝０,１,...,１２３は、前に指定されたように、インデックスｊを有する副搬送波へマップされる。
【０１３４】
［ＯＦＤＭ共通動作］
変調されたＴＤＭパイロット１副搬送波は、後で説明されるような共通動作を受ける。
【０１３５】
［広域識別通信路（ＷＩＣ）］
広域識別通信路（ＷＩＣ）は１つのＯＦＤＭ記号に広がる。それはスーパフレーム内のＯＦＤＭ記号インデックス１で送信される。それはＴＤＭパイロット１ＯＦＤＭ記号に続く。これは、広域微分器情報をＦＬＯ受信機へ伝達するために使用されるオーバヘッド通信路である。広域（これはローカルエリア通信路を含むが、ＴＤＭパイロット１通信路及びＰＰＣを除外する）の中の全ての送信波形は、この広域に対応する４ビット広域微分器を使用してスクランブルされる。
【０１３６】
スーパフレーム内のＷＩＣ  ＯＦＤＭ記号の場合、１スロットのみが割り振られる。割り振られたスロットは１０００ビット固定パターンを入力として使用し、各ビットはゼロへ設定されている。入力ビット・パターンは図１４で図解されるステップに従って処理される。割り振られないスロットについては、処理は遂行されない。
【０１３７】
［スロット割り振り］
ＷＩＣは、インデックス３を有するスロットを割り振られる。ＷＩＣ  ＯＦＤＭ記号内の割り振られたスロット、及び割り振られないスロットは、図１５に示される。選ばれたスロットインデックスは、ＯＦＤＭ記号インデックス１についてインタレース０へマップするインデックスである。これは後で解説される。
【０１３８】
［スロット・バッファの充填］
割り振られたスロットについてのバッファは、１０００ビットから成る固定パターンで完全に充填される。各ビットは「０」へ設定されている。割り振られないスロットについてのバッファは空のままである。
【０１３９】
［スロットのスクランブリング］
各々の割り振られたスロット・バッファのビットはスクランブラ出力ビットと逐次にＸＯＲ結合され、変調の前にビットをランダム化する。スロットインデックスｉに対応するスクランブルド（scrambled）スロット・バッファはＳＢ(i)として表される。ここで、ｉ∈｛０,１,...,７｝である。スロット・バッファに使用されるスクランブリング系列は、ＯＦＤＭ記号インデックス及びスロットインデックスに依存する。
【０１４０】
スクランブリング・ビット系列は、図１６で示されるように、生成系列ｈ（Ｄ）＝Ｄ２０＋Ｄ１７＋１を有する２０タップ線形フィードバックシフト・レジスタ（ＬＦＳＲ）を用いて生成された系列に等しい。送信機は全ての送信について単一のＬＦＳＲを使用する。
【０１４１】
ＯＦＤＭ記号のスタートごとに、ＬＦＳＲは状態［ｄ３ｄ２ｄ１ｄ０ｃ３ｃ２ｃ１ｃ０ｂ０ａ１０ａ９ａ８ａ７ａ６ａ５ａ４ａ３ａ２ａ１ａ０］へ初期化される。この状態は、通信路の型（ＴＤＭパイロット又は広域又はローカルエリア通信路）及びスーパフレーム内のＯＦＤＭ記号インデックスに依存する。
【０１４２】
ビット「ｄ３ｄ２ｄ１ｄ０」は、次のように設定される。全ての広域通信路（ＷＩＣ、ＷＴＰＣ、広域ＯＩＳ、及び広域データ通信路）、ローカルエリア通信路（ＬＩＣ、ＬＴＰＣ、広域ＯＩＳ、及びローカルエリア・データ通信路）、及びＰＰＣが不在のときのＴＤＭパイロット２通信路及び２つの予約ＯＦＤＭ記号の場合、これらのビットは４ビット広域微分器（ＷＩＤ）へ設定される。
【０１４３】
ビット「ｃ３ｃ２ｃ１ｃ０」は、次のように設定される。ＴＤＭパイロット２通信路、広域ＯＩＳ通信路、広域データ通信路、ＷＴＰＣ、及びＷＩＣの場合、これらのビットは「００００」へ設定される。ローカルエリアＯＩＳ通信路、ＬＴＰＣ、ＬＩＣ、及びＰＰＣが不在であるときのローカルエリア・データ通信路及び２つの予約ＯＦＤＭ記号の場合、これらのビットは４ビット・ローカルエリア微分器（ＬＩＤ）へ設定される。ビットｂ０は予約ビットであり、「１」へ設定される。ビットａ１０からａ０は、スーパフレーム内のＯＦＤＭ記号インデックス番号に対応する。これは０から１１９９までの範囲である。
【０１４４】
各スロットのためのスクランブリング系列は、系列生成器の２０ビット状態ベクトルと、下記の表７で指定されるような、各スロットインデックスに関連づけられた２０ビット・マスクとの、モジュロ２内積によって生成される。
【表８】
2010503288.tif 000016
【０１４５】
シフト・レジスタは、ＯＦＤＭ記号のスタートごとに、各スロットのための新しい状態［ｄ３ｄ２ｄ１ｄ０ｃ３ｃ２ｃ１ｃ０ｂ０ａ１０ａ９ａ８ａ７ａ６ａ５ａ４ａ３ａ２ａ１ａ０］を再ロードされる。
【０１４６】
［変調記号マッピング］
ｉ番目のスクランブルされたスロット・バッファからの、それぞれｓ０及びｓ１と名付けられた２つの連続ビットＳＢ(ｉ,２ｋ)及びＳＢ(ｉ,２ｋ＋１)、ｉ＝３,ｋ＝０,１,...４９９から成る各グループは、表６で指定されるようにＤ＝２を用いて複素変調記号ＭＳ＝(ｍＩ,ｍＱ)へマップされる。注意されることは、ＯＦＤＭ記号エネルギーを一定に保つようにＤの値が選ばれることである。というのは、４０００の利用可能な副搬送波の５００のみが使用されるからである。図１３は、ＱＰＳＫ変調についての信号点配置を示す。
【０１４７】
［インタレースへのスロットのマッピング］
ＷＩＣ  ＯＦＤＭ記号についてのインタレースへのスロットのマッピングは、この明細書で後に解説されるような指定のとおりである。
【０１４８】
［インタレース副搬送波へのスロット・バッファ変調記号のマッピング］
割り振られたスロット内の５００の変調記号は、次のようにして５００のインタレース副搬送波へ逐次に割り当てられる。即ち、ｉ番目の複素変調記号（ここで、ｉ∈{０,１,...４９９}）は、このインタレースのｉ番目の副搬送波へマップされる。
【０１４９】
［ＯＦＤＭ共通動作］
変調されたＷＩＣ副搬送波は、この明細書で後に指定されるような共通動作を受ける。
【０１５０】
［ローカルエリア識別通信路（ＬＩＣ）］
ローカルエリア識別通信路（ＬＩＣ）は、１つのＯＦＤＭ記号に広がる。それはスーパフレーム内のＯＦＤＭ記号インデックス２で送信される。それはＷＩＣ通信路ＯＦＤＭ記号に続く。これは、ローカルエリア微分器情報をＦＬＯ受信機へ伝達するために使用されるオーバヘッド通信路である。全てのローカルエリア送信波形は、ローカルエリアに対応する４ビット・ローカルエリア微分器と共に広域微分器を使用してスクランブルされる。
【０１５１】
スーパフレーム内のＬＩＣ  ＯＦＤＭ記号の場合、単一のスロットのみが割り振られる。割り振られたスロットは１０００ビット固定パターンを入力として使用する。これらのビットはゼロへ設定される。これらのビットは、図１４で図解されるステップに従って処理される。割り振られないスロットについては、処理は遂行されない。
【０１５２】
［スロットの割り振り］
ＬＩＣはインデックス５を有するスロットを割り振られる。ＬＩＣ  ＯＦＤＭ記号内の割り振られたスロット、及び割り振られないスロットは図１７で図解される。選ばれたスロットインデックスは、ＯＦＤＭ記号インデックス２についてインタレース０へマップするインデックスである。
【０１５３】
［スロット・バッファの充填］
割り振られたスロットについてのバッファは１０００ビットから成る固定パターンで完全に充填される。各ビットは「０」へ設定されている。割り振られないスロットについてのバッファは、空のままである。
【０１５４】
［スロットのスクランブリング］
ＬＩＣスロット・バッファのビットは、０で指定されるようにスクランブルされる。スクランブルされたスロット・バッファはＳＢによって表される。
【０１５５】
［変調記号のマッピング］
ｉ番目のスクランブルされたスロット・バッファからの、それぞれｓ０及びｓ１と名付けられた２つの連続ビットＳＢ(ｉ,２ｋ)及びＳＢ(ｉ,２ｋ＋１)、ｉ＝５,ｋ＝０,１,...４９９から成る各グループは、表６で指定されるようにＤ＝２を用いて複素変調記号ＭＳ＝(ｍＩ,ｍＱ)へマップされる。Ｄの値は、ＯＦＤＭ記号エネルギーを一定に保つように選ばれる。というのは、４０００の利用可能な副搬送波の５００のみが使用されるからである。図１３はＱＰＳＫ変調についての信号点配置を示す。
【０１５６】
［インタレースへのスロットのマッピング］
ＬＩＣ  ＯＦＤＭ記号についてのインタレースへのスロットのマッピングは、後で解説されるような指定のとおりである。
【０１５７】
［インタレース副搬送波へのスロット・バッファ変調記号のマッピング］
割り振られたスロット内の５００の変調記号は、次のようにして５００のインタレース副搬送波へ逐次に割り当てられる。即ち、ｉ番目の複素変調記号（ここで、ｉ∈{０,１,...４９９}）は、そのインタレースのｉ番目の副搬送波へマップされる。
【０１５８】
［ＯＦＤＭ共通動作］
変調されたＬＩＣ副搬送波は、後の解説で指定されるような共通動作を受ける。
【０１５９】
［ＴＤＭパイロット２通信路］
ＴＤＭパイロット２通信路は１つのＯＦＤＭ記号に広がる。それはスーパフレーム内のＯＦＤＭ記号インデックス３で送信される。それはＬＩＣ  ＯＦＤＭ記号に続く。それは、ＦＬＯ受信機内で微細なＯＦＤＭ記号タイミング補正に使用されてもよい。
【０１６０】
各スーパフレーム内のＴＤＭパイロット２ＯＦＤＭ記号の場合、４つのスロットのみが割り振られる。各々の割り振られたスロットは、１０００ビットの固定パターンを入力として使用し、各ビットはゼロへ設定されている。これらのビットは、図１４で図解されたステップに従って処理される。割り振られないスロットについては、処理は遂行されない。
【０１６１】
図１４において、インタレースへのスロットのマッピングは、割り振られたスロットがインタレース０、２、４、及び６へマップされることを確実にする。それ故に、ＴＤＭパイロット２ＯＦＤＭ記号は２０００の非ゼロ副搬送波を備え、これらの副搬送波は能動副搬送波の間で均一の間隔を空けられる（［００１３８］を参照）。ｉ番目のＴＤＭパイロット２副搬送波は、次のように定義される副搬送波インデックスｊに対応する。
【数７】
2010503288.tif 000017
【０１６２】
ＴＤＭパイロット２通信路は、インデックス２０４８を有する副搬送波を使用しないことに注意されたい。
【０１６３】
［スロットの割り振り］
ＴＤＭパイロット２ＯＦＤＭ記号の場合、割り振られたスロットは、インデックス０、１、２、及び７を有する。
【０１６４】
ＴＤＭパイロット２ＯＦＤＭ記号内の割り振られたスロット及び割り振られないスロットは、図１８で図解される。
【０１６５】
［スロット・バッファの充填］
各々の割り振られたスロットについてのバッファは、１０００ビットから成る固定パターンで完全に充填され、各ビットは「０」へ設定されている。割り振られないスロットについてのバッファは、空のままである。
【０１６６】
［スロットのスクランブリング］
ＴＤＭパイロット２通信路スロット・バッファのビットは、上記の解説で指定されるようにスクランブルされる。スクランブルされたスロット・バッファはＳＢで表される。
【０１６７】
［変調記号のマッピング］
ｉ番目のスクランブルされたスロット・バッファからの、それぞれｓ０及びｓ１と名付けられた２つの隣接ビットＳＢ(ｉ,２ｋ)及びＳＢ(ｉ,２ｋ＋１)、ｉ＝０,１,２,７、ｋ＝０,１,...４９９から成る各グループは、表６で指定されるようにＤ＝１を用いて複素変調記号ＭＳ＝(ｍＩ,ｍＱ)へマップされる。Ｄの値は、ＯＦＤＭ記号エネルギーを一定に保つように選ばれる。というのは、４０００の利用可能な副搬送波の２０００のみが使用されるからである。図１３はＱＰＳＫ変調についての信号点配置を示す。
【０１６８】
［インタレースへのスロットのマッピング］
ＴＤＭパイロット２通信路ＯＦＤＭ記号についてのインタレースへのスロットのマッピングは、本明細書で指定されるとおりである。
【０１６９】
［インタレース副搬送波へのスロット・バッファ変調記号のマッピング］
割り振られたスロット内の５００の変調記号は、次のようにして５００のインタレース副搬送波へ逐次に割り当てられる。即ち、ｉ番目の複素変調記号（ここで、ｉ∈{０,１,...４９９｝）は、このインタレースのｉ番目の副搬送波へマップされる。
【０１７０】
［ＯＦＤＭ共通動作］
変調されたＴＤＭパイロット２通信路副搬送波は、本明細書で指定されるような共通動作を受ける。
【０１７１】
［遷移パイロット通信路（ＴＰＣ）］
遷移パイロット通信路は２つの副搬送波、即ち、広域遷移パイロット通信路（ＷＴＰＣ）及びローカルエリア遷移パイロット通信路（ＬＴＰＣ）から成る。広域ＯＩＳ及び広域データ通信路の横に位置するＴＰＣは、ＷＴＰＣと呼ばれる。ローカルエリアＯＩＳ及びローカルエリア・データ通信路の横に位置するＴＰＣは、ＬＴＰＣと呼ばれる。ＷＴＰＣは広域通信路送信ごとのいずれかの側で１つのＯＦＤＭ記号に広がるが、スーパフレーム内のＷＩＣ（広域データ及び広域ＯＩＳ通信路）は例外である。ＬＴＰＣはローカルエリア通信路送信ごとのいずれかの側で１つのＯＦＤＭ記号に広がるが、ＬＩＣ（ローカルエリア・データ及びローカルエリアＯＩＳ通信路）は例外である。ＴＰＣ  ＯＦＤＭ記号の目的は２重である。即ち、ローカルエリア通信路と広域通信路との間の境界で通信路推定を許すこと、及び各フレーム内の最初の広域（又はローカルエリア）ＭＬＣについてのタイミング同期を容易にすることである。ＴＰＣはスーパフレーム内で２０のＯＦＤＭ記号に広がる。これらのＯＦＤＭ記号は、図１０で図解されるようにＷＴＰＣとＬＴＰＣとの間で均一に分割される。ＬＴＰＣ及びＷＴＰＣ送信が相互に隣り合って生起する９つの場合があり、及び、これらの通信路の１つだけが送信される２つの場合がある。ＴＤＭパイロット２通信路の後ではＷＴＰＣのみが送信され、位置決めパイロット通信路（ＰＰＣ）／予約ＯＦＤＭ記号の前ではＬＴＰＣのみが送信される。
【０１７２】
ＰはＰＰＣ内のＯＦＤＭ記号の数であるか、スーパフレーム内でＰＰＣが不在である場合には予約ＯＦＤＭ記号の数であり、Ｗはフレーム内の広域データ通信路に関連づけられたＯＦＤＭ記号の数であり、Ｌはフレーム内のローカルエリア・データ通信路に関連づけられたＯＦＤＭ記号の数であり、Ｆはフレーム内のＯＦＤＭ記号の数であることが仮定される。
【０１７３】
Ｐの値は２、６、１０、又は１４である。フレーム内のデータ通信路ＯＦＤＭ記号の数は、Ｆ−４である。スーパフレーム内のＴＰＣ  ＯＦＤＭ記号の正確な場所は、下記の表８で指定されるとおりである。
【表９】
2010503288.tif 000018
【０１７４】
ＴＰＣ  ＯＦＤＭ記号内の全てのスロットは、１０００ビットの固定パターンを入力として使用し、各ビットはゼロへ設定されている。これらのビットは、図１４で図解されるステップに従って処理される。
【０１７５】
［スロットの割り振り］
ＴＰＣ  ＯＦＤＭ記号は、０から７までのインデックスを有する８つのスロットの全部を割り振られる。
【０１７６】
［スロット・バッファの充填］
各々の割り振られたスロットについてのバッファは、１０００ビットから成る固定パターンで完全に充填され、各ビットは「０」へ設定されている。
【０１７７】
［スロットのスクランブリング］
各々の割り振られたＴＰＣスロット・バッファのビットは、前に指定されたようにスクランブルされる。スクランブルされたスロット・バッファはＳＢで表される。
【０１７８】
［変調記号のマッピング］
ｉ番目のスクランブルされたスロット・バッファの、それぞれｓ０及びｓ１と名付けられる２つの連続ビットＳＢ(ｉ,２ｋ)及びＳＢ(ｉ,２ｋ＋１)、ｉ＝０,１,２,...７,ｋ＝０,１,...４９９から成る各グループは、表６で指定されたように、
【数８】
2010503288.tif 000019
【０１７９】
を用いて複素変調記号ＭＳ＝(ｍＩ,ｍＱ)へマップされる。図１３は、ＱＰＳＫ変調についての信号点配置を示す。
【０１８０】
［インタレースへのスロットのマッピング］
ＴＰＣ  ＯＦＤＭ記号についてのインタレースへのスロットのマッピングは、本明細書で指定されるとおりである。
【０１８１】
［インタレース副搬送波へのスロット・バッファ変調記号のマッピング］
各々の割り振られたスロット内の５００の変調記号は、次のようにして５００のインタレース副搬送波へ逐次に割り当てられる。即ち、ｉ番目の複素変調記号（ここで、ｉ∈{０,１,...４９９}）は、このインタレースのｉ番目の副搬送波へマップされる。
【０１８２】
［ＯＦＤＭ共通動作］
変調されたＴＰＣ副搬送波は、本明細書で指定されるような共通動作を受ける。
【０１８３】
［位置決めパイロット通信路／予約記号］
位置決めパイロット通信路（ＰＰＣ）は、スーパフレームの終わりに現れてもよい。存在するとき、それは６、１０、又は１４のＯＦＤＭ記号の可変持続時間を有する。ＰＰＣが不在のとき、スーパフレームの終わりに２つの予約ＯＦＤＭ記号が存在する。ＰＰＣの存在又は不在、及びＰＰＣの持続時間は、ＯＩＳ通信路上で合図される。
【０１８４】
［位置決めパイロット通信路］
送信された情報及び波形生成を含むＰＰＣ構造は、ＴＢＤである。
【０１８５】
ＦＬＯデバイスは、ＰＰＣを自立的に又はＧＰＳ信号と併せて使用し、このデバイスの地理的場所を決定してもよい。
【０１８６】
［予約されたＯＦＤＭ記号］
ＰＰＣが不在のとき、スーパフレームの終わりに２つの予約ＯＦＤＭ記号が存在する。
【０１８７】
予約されたＯＦＤＭ記号内の全てのスロットは１０００ビットの固定パターンを入力として使用し、各ビットはゼロへ設定されている。これらのビットは図１４で図解されたステップに従って処理される。
【０１８８】
［スロットの割り振り］
予約されたＯＦＤＭ記号は、インデックス０から７を有する８つのスロットの全部を割り振られる。
【０１８９】
［スロット・バッファの充填］
各々の割り振られたスロットについてのバッファは、１０００ビットから成る固定パターンで完全に充填され、各ビットは「０」へ設定されている。
【０１９０】
［スロットのスクランブリング］
各々の割り振られた予約ＯＦＤＭ記号スロット・バッファのビットは、０で指定されたようにスクランブルされる。スクランブルされたスロット・バッファはＳＢで表される。
【０１９１】
［変調記号のマッピング］
ｉ番目のスクランブルされたスロット・バッファからの、それぞれｓ０及びｓ１と名付けられた２つの連続ビットＳＢ(ｉ,２ｋ)及びＳＢ(ｉ,２ｋ＋１)、ｉ＝０,１,２,...７、ｋ＝０,１,...４９９から成る各グループは、表６で指定されるように、
【数９】
2010503288.tif 000020
【０１９２】
を用いて複素変調記号ＭＳ＝(ｍＩ,ｍＱ)へマップされる。図１３は、ＱＰＳＫ変調についての信号点配置を示す。
【０１９３】
［インタレースへのスロットのマッピング］
予約されたＯＦＤＭ記号についてのインタレースへのスロットのマッピングは、本明細書で指定されるとおりである。
【０１９４】
［インタレース副搬送波へのスロット・バッファ変調記号のマッピング］
各々の割り振られたスロット内の５００の変調記号は、次のようにして５００のインタレース副搬送波へ逐次に割り当てられる。即ち、ｉ番目の複素変調記号（ここで、ｉ∈{０,１,...４９９}）は、このインタレースのｉ番目の副搬送波へマップされる。
【０１９５】
［ＯＦＤＭ共通動作］
変調された予約ＯＦＤＭ記号副搬送波は、本明細書で指定されるような共通動作を受ける。
【０１９６】
［広域ＯＩＳ通信路］
この通信路は、現在のスーパフレーム内の広域データ通信路に関連づけられた能動ＭＬＣに関するオーバヘッド情報、例えば、それらＭＬＣのスケジュールされた送信時間及びスロット割り振りを伝達するために使用される。広域ＯＩＳ通信路は、各スーパフレーム内で５つのＯＦＤＭ記号区間に広がる（図１０を参照）。
【０１９７】
広域ＯＩＳ通信路についての物理層パケットは、図１９で図解されたステップに従って処理される。
【０１９８】
［符号化］
広域ＯＩＳ通信路物理層パケットは、コードレートＲ＝１／５で符号化される。符号器は、到着する物理層パケットの６ビット尾部フィールドを廃棄し、本明細書で指定されるような並列ターボ符号器を用いて、残りのビットを符号化する。ターボ符号器は、６／Ｒ（＝３０）の出力符号ビットの内部生成尾部を付加し、出力におけるターボ符号化ビットの総数が、入力物理層パケット内のビットの数の１／Ｒ倍になるようにする。
【０１９９】
図２０は、広域ＯＩＳ通信路についての符号化スキームを図解する。広域ＯＩＳ通信路符号器パラメータは、下記の表９で指定されたとおりである。
【表１０】
2010503288.tif 000021
【０２００】
［ターボ符号器］
ターボ符号器は、並列に接続された２つの系統的で再帰的(recursive)な畳み込み符号器を採用する。インタリーバ、即ち、ターボ・インタリーバが、２番目の再帰的畳み込み符号器の前に置かれる。２つの再帰的畳み込み符号は、ターボ符号の組成符号と呼ばれる。組成符号器の出力はパンクチャ（punctured）及び反復され、所望数のターボ符号化出力ビットを達成する。
【０２０１】
共通組成符号は、レート１／５、１／３、１／２、及び２／３のターボ符号に使用される。組成符号についての伝達関数は、次のとおりである。
【数１０】
2010503288.tif 000022
【０２０２】
ここで、ｄ(Ｄ)＝１＋Ｄ２＋Ｄ３、ｎ０(Ｄ)＝１＋Ｄ＋Ｄ３、及びｎ１(Ｄ)＝１＋Ｄ＋Ｄ２＋Ｄ３である。
【０２０３】
ターボ符号器は出力記号系列を生成する。この出力記号系列は、図２０で示される符号器によって生成された系列と同じである。最初、この図における組成符号器のレジスタ状態はゼロへ設定される。次いで、組成符号器は、注記されたスイッチ位置でクロックされる。
【０２０４】
符号化されたデータ出力ビットは、スイッチを上方位置にして組成符号器をＮｔｕｒｂｏ回だけクロックし、下記で示される表１０の指定どおりに出力をパンクチャすることによって生成される。パンクチャリング・パターンの中で、「０」はビットが削除されることを意味し、「１」はビットが通されることを意味する。各ビット期間についての組成符号器出力は、系列Ｘ,Ｙ０,Ｙ１,Ｘ',Ｙ'０,Ｙ'１として通され、Ｘが最初に出力される。符号化データ出力ビットを生成する際に、ビット反復は使用されない。
【０２０５】
尾部期間についてパンクチャする組成符号器出力記号は、下記で示される表１１の指定のとおりである。パンクチャリング・パターンの中で、「０」は記号が削除されることを意味し、「１」は記号が通されることを意味する。
【０２０６】
レート１／５のターボ符号の場合、最初の３つの尾部期間の各々について尾部出力符号ビットがパンクチャ及び反復されて、系列ＸＸＹ０Ｙ１Ｙ１を達成し、最後の３つの尾部ビット期間の各々について尾部出力符号ビットがパンクチャ及び反復されて、系列Ｘ'Ｘ'Ｙ'０Ｙ'１Ｙ'１を達成する。
【表１１】
2010503288.tif 000023
【０２０７】
上記の表１０において、パンクチャリング表は上から下へ読まれることに留意する。
【表１２】
2010503288.tif 000024
【０２０８】
表１１において、レート１／５ターボ符号の場合、パンクチャリング表は、最初にＸ,Ｘ□,Ｙ１,及びＹ□１を反復して上から下へ読まれ、次いで左から右へ読まれることに留意する。
【０２０９】
［ターボ・インタリーバ］
ターボ符号器の一部分であるターボ・インタリーバは、組成符号器２へ投入されるターボ符号器入力データをブロック・インタリーブする。
【０２１０】
ターボ・インタリーバは、ターボ・インタリーバ入力ビットの系列全体が、アレーの中の一連のアドレスへ逐次に書き込まれ、次いで系列全体が、下記で説明される手続きによって定義される一連のアドレスから読み出されるアプローチと機能的に等しい。
【０２１１】
一連の入力アドレスを０からＮｔｕｒｂｏ−１とする。そうであれば、一連のインタリーバ出力アドレスは、図２２で図解されて下記で説明される手続きによって生成されたアドレスに等しい。この手続きは、カウンタ値が２５行×２ｎ列のアレーへ行ごとに書き込まれ、行がビット逆転規則に従って再編成され、各行の中の元が行特定直線合同順番に従って並べ替えられ、仮の出力アドレスが列ごとに読み出される手続きと等しいことに留意する。直線合同順番規則は、ｘ(ｉ＋１)＝(ｘ(ｉ)＋ｃ)ｍｏｄ  ２ｎである。ここで、ｘ(０)＝ｃであり、ｃはテーブル・ルックアップからの行特定値である。
【０２１２】
図２２の手続きに関しては、プロセスはターボ・インタリーバ・パラメータｎを決定することを含む。ここで、ｎはＮｔｕｒｂｏ≦２ｎ＋５となるような最小整数である。下記で示される表１２は、１０００ビット物理層パケットについて、このパラメータを与える。プロセスは(ｎ＋５)ビット・カウンタを０へ初期化し、カウンタからｎ個の最上位ビット（ＭＳＢ）を抽出し、１を加算して新しい値を形成することを更に含む。次いで、この値のｎ個の最下位ビット（ＬＳＢ）を例外として全部を廃棄する。プロセスは、カウンタの５個のＬＳＢに等しい読み出しアドレスを用いて、下記に示される表１３で定義されたテーブル・ルックアップのｎビット出力を取得することを更に含む。この表はｎの値に依存することに注意されたい。
【０２１３】
プロセスは、抽出及び取得の前ステップで取得された値を掛け算し、次いでｎ個のＬＳＢを例外として全部を廃棄することを更に含む。次に、カウンタの５個のＬＳＢのビット逆転が遂行される。仮の出力アドレスが、次いで形成される。この出力アドレスは、ビット逆転ステップで取得された値に等しいＭＳＢ、及び掛け算ステップで取得された値に等しいＬＳＢを有する。
【０２１４】
次に、プロセスは、仮の出力アドレスがＮｔｕｒｂｏよりも小さければ、仮の出力アドレスを出力アドレスとして受け入れ、そうでなければ、仮の出力アドレスを廃棄することを含む。最後に、カウンタが増分され、初期化ステップの後のステップは、Ｎｔｕｒｂｏインタリーバ出力アドレスの全部が取得されるまで反復される。
【表１３】
2010503288.tif 000025
【表１４】
2010503288.tif 000026
【０２１５】
［ビット・インタリービング］
ＯＩＳ通信路及びデータ通信路の場合、ビット・インタリービングはブロック・インタリービングの１つの形態である。ターボ符号化パケットの符号ビットは、隣接する符号ビットが、異なる配置記号へマップされるようなパターンでインタリーブされる。
【０２１６】
ビット・インタリーバは、次の手続きによってターボ符号化ビットを再順序づける。
【０２１７】
ａ．インタリーブされるＮ個のビットについて、ビット・インタリーバ行列Ｍは、４列×Ｎ／４行のブロック・インタリーバである。Ｎ個の入力ビットは、インタリービング・アレーの中へ列ごとに逐次に書き込まれる。行列Ｍの行をインデックスｊで名付ける。ここで、ｊ＝０からＮ／４−１であり、行０は最初の行である。
【０２１８】
ｂ．偶数インデックス（ｊ  ｍｏｄ  ２＝０）を有する行ｊごとに、２番目及び３番目の列の元が入れ替えられる。
【０２１９】
ｃ．奇数インデックス（ｊ  ｍｏｄ  ２！＝０）を有する行ごとに、最初及び４番目の列の元が入れ替えられる。
【０２２０】
ｄ．結果の行列を
【数１１】
2010503288.tif 000027
【０２２１】
で表す。
【数１２】
2010503288.tif 000028
【０２２２】
の内容は行ごとに左から右へ読み出される。
【０２２３】
図２３は、Ｎ＝２０という仮説の場合について、ビット・インタリーバの出力を図解する。
【０２２４】
［データ・スロットの割り振り］
広域ＯＩＳ通信路の場合、ＯＩＳ通信路ターボ符号化パケットを送信するため、ＯＦＤＭ記号当たり７つのデータ・スロットが割り振られる。広域ＯＩＳ通信路は、送信モード５を使用する。それ故に、広域ＯＩＳ通信路は単一のターボ符号化パケットの内容を収容するため５つのデータ・スロットを要求する。幾つかの広域ＯＩＳ通信路ターボ符号化パケットは２つの連続ＯＦＤＭ記号に広がる。データ・スロットの割り振りはＭＡＣ層で行われる。
【０２２５】
［データ・スロット・バッファの充填］
広域ＯＩＳ通信路ターボ符号化パケットのビット・インタリーブド符号ビットは、図２４で図解されるように、５つの連続データ・スロット・バッファの中の１つ又は２つの連続するＯＦＤＭ記号へ逐次に書き込まれる。これらのデータ・スロット・バッファはスロットインデックス１から７に対応する。データ・スロット・バッファ・サイズは１０００ビットである。データ・スロット・バッファ・サイズは、ＱＰＳＫについては１０００ビットであり、１６−ＱＡＭ及び層状変調については２０００ビットであることに留意する。７つの広域ＯＩＳ通信路ターボ符号化パケット（ＴＥＰ）は広域ＯＩＳ通信路の中で５つの連続ＯＦＤＭ記号の上の連続スロットを占める（図１０を参照）。
【０２２６】
［スロットのスクランブリング］
各々の割り振られたスロット・バッファのビットは、表で指定されたようにスクランブルされる。スクランブルされたスロット・バッファはＳＢで表される。
【０２２７】
［変調記号へのビットのマッピング］
ｉ番目のスクランブルされたスロット・バッファからの、それぞれｓ０及びｓ１と名付けられる２つの連続ビットＳＢ(ｉ,２ｋ)及びＳＢ(２ｋ＋１)、ｉ＝１,２,...７、ｋ＝０,１,...４９９から成る各グループは、表６で指定されたように、
【数１３】
2010503288.tif 000029
【０２２８】
を用いて複素変調記号ＭＳ＝(ｍＩ,ｍＱ)へマップされる。図１３は、ＱＰＳＫ変調についての信号点配置を示す。
【０２２９】
［インタレースへのスロットのマッピング］
広域ＯＩＳ通信路ＯＦＤＭ記号についてのインタレースへのスロットのマッピングは、本明細書で指定されるとおりである。
【０２３０】
［インタレース副搬送波へのスロット・バッファ変調記号のマッピング］
各々の割り振られたスロット内の５００の変調記号は、次の手続きによって５００のインタレース副搬送波へ逐次に割り当てられる。
【０２３１】
ａ．空の副搬送波インデックスベクトル（ＳＣＩＶ）を作り出す。
【０２３２】
ｂ．ｉを範囲(ｉ∈{０,５１１})内のインデックス変数とする。ｉを０へ初期化する。
【０２３３】
ｃ．ｉを、この９ビット値ｉｂで表現する。
【０２３４】
ｄ．ｉｂをビット逆転し、結果の値をｉｂｒとして表す。ｉｂｒ＜５００であれば、ｉｂｒをＳＣＩＶへ添付する。
【０２３５】
ｅ．ｉ＜５１１であれば、ｉを１だけ増分してステップｃへ行く。
【０２３６】
ｆ．データ・スロット内でインデックスｊ(ｊ∈{０,４９９}）を有する記号を、このデータ・スロットへ割り当てられたインデックスＳＣＩＶ[ｊ]を有するインタレース副搬送波へマップする。
【０２３７】
インデックスＳＣＩＶは１回計算されるだけでよく、全てのデータ・スロットについて使用可能であることに留意する。
【０２３８】
［ＯＦＤＭ共通動作］
変調された広域ＯＩＳ通信路副搬送波は、本明細書で指定されるような共通動作を受ける。
【０２３９】
［ローカルエリアＯＩＳ通信路］
この通信路は、現在のスーパフレーム内のローカルエリア・データ通信路に関連づけられた能動ＭＬＣに関するオーバヘッド情報、例えば、それらＭＬＣのスケジュールされた送信時間及びスロット割り振りを伝達するために使用される。ローカルエリアＯＩＳ通信路は、各スーパフレーム内で５つのＯＦＤＭ記号区間に広がる（図１０を参照）。
【０２４０】
ローカルエリアＯＩＳ通信路についての物理層パケットは、図１４で図解されたステップに従って処理される。
【０２４１】
［符号化］
ローカルエリアＯＩＳ通信路物理層パケットは、コードレートＲ＝１／５で符号化される。符号化手続きは、本明細書で指定されるような広域ＯＩＳ通信路物理層パケットの場合と同じである。
【０２４２】
［ビット・インタリービング］
ローカルエリアＯＩＳ通信路ターボ符号化パケットは、本明細書で指定されるようにビット・インタリーブされる。
【０２４３】
［データ・スロットの割り振り］
ローカルエリアＯＩＳ通信路の場合、ターボ符号化パケットを送信するため、ＯＦＤＭ記号当たり７つのデータ・スロットが割り振られる。ローカルエリアＯＩＳ通信路は送信モード５を使用する。それ故に、この通信路は、単一のターボ符号化パケットの内容を収容するために５つのデータ・スロットを要求する。幾つかのローカルエリアＯＩＳターボ・パケットは、２つの連続ＯＦＤＭ記号に広がる。データ・スロットの割り振りは、ＭＡＣ層で行われる。
【０２４４】
［データ・スロット・バッファの充填］
ローカルエリアＯＩＳ通信路ターボ符号化パケットのビット・インタリーブド符号ビットは、図２５で図解されるように、５つの連続データ・スロット・バッファの中の１つ又は２つの連続ＯＦＤＭ記号へ逐次に書き込まれる。これらのデータ・スロット・バッファは、スロットインデックス１から７に対応する。データ・スロット・バッファ・サイズは１０００ビットである。７つのローカルエリアＯＩＳ通信路ターボ符号化パケット（ＴＥＰ）は、ローカルエリアＯＩＳ通信路内の５つの連続ＯＦＤＭ記号の上で連続スロットを占める（図２５を参照）。
【０２４５】
［スロットのスクランブリング］
各々の割り振られたスロット・バッファのビットは、０で指定されたようにスクランブルされる。スクランブルされたスロット・バッファはＳＢで表される。
【０２４６】
［変調記号へのビットのマッピング］
ｉ番目のスクランブルされたスロット・バッファからの、それぞれｓ０及びｓ１と名付けられた２つの連続ビットＳＢ(ｉ，２ｋ)及びＳＢ(ｉ，２ｋ＋１)、ｉ＝１,２,...７、ｋ＝０,１,...４９９から成る各グループは、表６で指定されるように、
【数１４】
2010503288.tif 000030
【０２４７】
を用いて複素変調記号ＭＳ＝(ｍＩ,ｍＱ)へマップされる。図１３は、ＱＰＳＫ変調についての信号点配置を示す。
【０２４８】
［インタレースへのスロットのマッピング］
ローカルエリアＯＩＳ通信路ＯＦＤＭ記号についてのインタレースへのスロットのマッピングは、本明細書で指定されるとおりである。
【０２４９】
［インタレース副搬送波へのスロット・バッファ変調記号のマッピング］
この手続きは、本明細書で指定されるような広域ＯＩＳ通信路の場合と同じである。
【０２５０】
［ＯＦＤＭ共通動作］
変調されたローカルエリアＯＩＳ通信路副搬送波は、本明細書で指定されるような共通動作を受ける。
【０２５１】
［広域ＦＤＭパイロット通信路］
広域ＦＤＭパイロット通信路は、広域データ通信路又は広域ＯＩＳ通信路と併せて送信される。広域ＦＤＭパイロット通信路は固定ビット・パターンを搬送し、このパターンはＦＬＯデバイスによって広域通信路推定及び他の機能のために使用される。
【０２５２】
広域ＦＤＭパイロット通信路の場合、広域データ通信路又は広域ＯＩＳ通信路のいずれかを搬送する単一のスロットが、ＯＦＤＭ記号ごとに割り振られる。
【０２５３】
割り振られたスロットは、１０００ビットの固定パターンを入力として使用する。これらのビットはゼロへ設定される。これらのビットは、図１４で図解されたステップに従って処理される。
【０２５４】
［スロットの割り振り］
広域ＦＤＭパイロット通信路は、ＯＦＤＭ記号ごとにインデックス０を有するスロットを割り振られる。このスロットは、広域データ通信路又は広域ＯＩＳ通信路のいずれかを搬送する。
【０２５５】
［スロット・バッファの充填］
広域ＦＤＭパイロット通信路へ割り振られたスロットについてのバッファは、１０００ビットから成る固定パターンで完全に充填される。各ビットは「０」へ設定されている。
【０２５６】
［スロットのスクランブリング］
広域ＦＤＭパイロット通信路スロット・バッファのビットは、本明細書で指定されるようにスクランブルされる。スクランブルされたスロット・バッファはＳＢによって表される。
【０２５７】
［変調記号のマッピング］
ｉ番目のスクランブルされたスロット・バッファの、それぞれｓ０及びｓ１と名付けられた２つの連続ビットＳＢ(ｉ,２ｋ)及びＳＢ(ｉ,２ｋ＋１)、ｉ＝０、ｋ＝０,１,...４９９から成る各グループは、表６で指定されるように、
【数１５】
2010503288.tif 000031
【０２５８】
を用いて複素変調記号ＭＳ＝(ｍＩ,ｍＱ)へマップされる。図１３は、ＱＰＳＫ変調についての信号点配置を示す。
【０２５９】
［インタレースへのスロットのマッピング］
インタレースへの広域ＦＤＭパイロット通信路スロットのマッピングは、本明細書で指定されるとおりである。
【０２６０】
［インタレース副搬送波へのスロット・バッファ変調記号のマッピング］
割り振られたスロット内の５００の変調記号は、次のようにして５００のインタレース副搬送波へ逐次に割り当てられる。即ち、ｉ番目の複素変調記号（ここで、ｉ∈{０,１,...４９９}）は、このインタレースのｉ番目の副搬送波へマップされる。
【０２６１】
［ＯＦＤＭ共通動作］
変調された広域ＦＤＭパイロット通信路副搬送波は、本明細書で指定されるような共通動作を受ける。
【０２６２】
［ローカルエリアＦＤＭパイロット通信路］
ローカルエリアＦＤＭパイロット通信路は、ローカルエリア・データ通信路又はローカルエリアＯＩＳ通信路と併せて送信される。ローカルエリアＦＤＭパイロット通信路は固定ビット・パターンを搬送し、このパターンはＦＬＯデバイスによってローカルエリア通信路推定及び他の機能のために使用されてもよい。
【０２６３】
ローカルエリアＦＤＭパイロット通信路の場合、ローカルエリア・データ通信路又はローカルエリアＯＩＳ通信路を搬送する単一のスロットが、ＯＦＤＭ記号ごとに割り振られる。
【０２６４】
割り振られたスロットは、１０００ビットの固定パターンを入力として使用する。これらのビットはゼロへ設定される。これらのビットは、図１４で図解されるステップに従って処理される。
【０２６５】
［スロットの割り振り］
ローカルエリアＦＤＭパイロット通信路は、ＯＦＤＭ記号ごとにインデックス０を有するスロットを割り振られる。このスロットはローカルエリア・データ通信路又はローカルエリアＯＩＳ通信路のいずれかを搬送する。
【０２６６】
［パイロット・スロット・バッファの充填］
ローカルエリアＦＤＭパイロット通信路へ割り振られたスロットについてのバッファは、１０００ビットから成る固定パターンで完全に充填される。各ビットは「０」へ設定されている。
【０２６７】
［スロット・バッファのスクランブリング］
ローカルエリアＦＤＭパイロット・スロット・バッファのビットは、０で指定されるようにスクランブルされる。スクランブルされたスロット・バッファはＳＢによって表される。
【０２６８】
［変調記号のマッピング］
ｉ番目のスクランブルされたスロット・バッファの、それぞれｓ０及びｓ１で名付けられた２つの連続ビットＳＢ(ｉ,２ｋ)及びＳＢ(ｉ,２ｋ＋１)、ｉ＝０、ｋ＝０,１,...４９９から成る各グループは、表６で指定されるように、
【数１６】
2010503288.tif 000032
【０２６９】
を用いて複素変調記号ＭＳ＝(ｍＩ,ｍＱ)へマップされる。図１３は、ＱＰＳＫ変調についての信号点配置を示す。
【０２７０】
［インタレースへのスロットのマッピング］
インタレースへの広域ＦＤＭパイロット通信路スロットのマッピングは、本明細書で指定されるとおりである。
【０２７１】
［インタレース副搬送波へのスロット・バッファ変調記号のマッピング］
割り振られたスロット内の５００の変調記号は、次のようにして５００のインタレース副搬送波へ逐次に割り当てられる。即ち、ｉ番目の複素変調記号（ここで、ｉ∈{０,１,...４９９}）は、このインタレースのｉ番目の副搬送波へマップされる。
【０２７２】
［ＯＦＤＭ共通動作］
変調されたローカルエリアＦＤＭパイロット通信路副搬送波は、本明細書で指定されるような共通動作を受ける。
【０２７３】
［広域データ通信路］
広域データ通信路は、広域マルチキャスト用の物理層パケットを搬送するために使用される。広域データ通信路のための物理層パケットは、広域で送信された能動ＭＬＣの任意の１つに関連づけられ得る。
【０２７４】
［割り振られたスロットについての広域データ通信路の処理］
広域データ通信路のための物理層パケットは、図２６で図解されるステップに従って処理される。
【０２７５】
正規の変調の場合（ＱＰＳＫ及び１６−ＱＡＭ）、物理層パケットは、データ・スロット・バッファの中に記憶される前にターボ符号化及びビット・インタリーブされる。層状変調の場合、基底成分物理層パケット及び向上成分物理層パケットは、データ・スロット・バッファの中へ多重化される前に独立にターボ符号化及びビット・インタリーブされる。
【０２７６】
［符号化］
広域データ通信路物理層パケットは、コードレートＲ＝１／２、１／３、又は２／３を用いて符号化される。符号器は、到着する物理層パケットの６ビット尾部フィールドを廃棄し、本明細書で指定されるような並列ターボ符号器を用いて残りのビットを符号化する。ターボ符号器は、６／Ｒ（＝１２、１８、又は９）出力符号ビットの内部生成尾部を付加し、出力におけるターボ符号化ビットの総数が、入力物理層パケット内のビットの数の１／Ｒ倍になるようにする。
【０２７７】
図２７は、広域データ通信路のための符号化スキームを図解する。広域データ通信路符号器パラメータは、下記の表１４で指定されるとおりである。
【表１５】
2010503288.tif 000033
【０２７８】
［ターボ符号器］
広域データ通信路物理層パケットに使用されるターボ符号器は、本明細書で指定されるとおりである。
【０２７９】
符号化データ出力ビットは、スイッチを上方位置にして組成符号器をＮｔｕｒｂｏ回だけクロックし、下記の図１５で指定されるように出力をパンクチャすることによって生成される。パンクチャリング・パターンの中で、「０」はビットが削除されることを意味し、「１」はビットが通されることを意味する。各ビット期間についての組成符号器出力は、系列Ｘ,Ｙ０,Ｙ１,Ｘ□,Ｙ□０,Ｙ□１として通され、Ｘが最初に出力される。符号化データ出力記号を生成する際に、ビット反復は使用されない。
【０２８０】
尾部期間にパンクチャする組成符号器出力記号は、下記の表１６で指定されるとおりである。パンクチャリング・パターンの中で、「０」は記号が削除されることを意味し、「１」は記号が通されることを意味する。
【０２８１】
レート１／２のターボ符号の場合、最初の３つの尾部ビット期間の各々についての尾部出力符号ビットは、ＸＹ０であり、最後の３つの尾部ビット期間の各々についての尾部出力符号ビットはＸ□Ｙ□０である。
【０２８２】
レート１／３ターボ符号の場合、最初の３つの尾部ビット期間の各々についての尾部出力符号ビットはＸＸＹ０であり、最後の３つの尾部ビット期間の各々についての尾部出力符号ビットはＸ□Ｘ□Ｙ□０である。
【０２８３】
レート２／３ターボ符号の場合、最初の３つの尾部ビット期間についての尾部出力符号ビットは、それぞれＸＹ０、Ｘ、及びＸＹ０である。最後の３つの尾部ビット期間についての尾部出力符号ビットは、それぞれＸ□Ｘ□Ｙ□０及びＸ□である。
【表１６】
2010503288.tif 000034
【０２８４】
上記の表１５において、パンクチャリング表は上から下へ読まれるべきことに留意する。
【表１７】
2010503288.tif 000035
【０２８５】
上記の表１６に関して、レート１／２ターボ符号の場合、パンクチャリング表は最初に上から下へ読まれ、次いで左から右へ読まれることに留意する。率１／３ターボ符号の場合、パンクチャリング表はＸ及びＸ'を反復して上から下へ読まれ、次いで左から右へ読まれる。レート２／３ターボ符号の場合、パンクチャリング表は最初に上から下へ読まれ、次いで左から右へ読まれる。
【０２８６】
［ターボ・インタリーバ］
広域データ通信路についてのターボ・インタリーバは、本明細書で指定されるとおりである。
【０２８７】
［ビット・インタリービング］
広域データ通信路ターボ符号化パケットは、本明細書で指定されるようにビット・インタリーブされる。
【０２８８】
［データ・スロットの割り振り］
広域データ通信路の場合、１つ又は複数のＭＬＣに関連づけられた複数のターボ符号化パケットを送信するため、ＯＦＤＭ記号当たり７つまでのデータ・スロットが割り振られてもよい。或るモード（２、４、８、及び１１、上記の表５を参照）の場合、ターボ符号化パケットはスロットの端数を占める。しかしながら、スロットは、複数のＭＬＣが、同じＯＦＤＭ記号内のスロットを共有することを回避するように、ＭＬＣへ割り振られる。
【０２８９】
［データ・スロット・バッファの充填］
広域データ通信路ターボ符号化パケットのビット・インタリーブド符号ビットは、１つ又は複数のデータ・スロット・バッファの中へ書き込まれる。これらのデータ・スロット・バッファは、スロットインデックス１から７に対応する。データ・スロット・バッファ・サイズは、ＱＰＳＫについては１０００ビットであり、１６−ＱＡＭ及び層状変調については２０００ビットである。ＱＰＳＫ及び１６−ＱＡＭ変調の場合、ビット・インタリーブド符号ビットはスロット・バッファの中へ逐次に書き込まれる。層状変調の場合、基底及び向上成分に対応するビット・インタリーブド符号ビットは、スロット・バッファを充填する前に、図２８で図解されるようにインタリーブされる。
【０２９０】
図２９は、単一のターボ符号化パケットが３つのデータ・スロット・バッファに広がる場合を図解する。
【０２９１】
図３０は、コードレート１／３を有する基底成分ターボ符号化パケットが、（同じコードレートを有する）向上成分ターボ・パケットと多重化されて、３つのデータ・スロット・バッファを占める場合を図解する。
【０２９２】
図３１は、データ通信路ターボ符号化パケットがデータ・スロットの端数を占め、整数のデータ・スロットを充填するために４つのターボ符号化パケットを要する場合を図解する。
【０２９３】
図３１の３つのスロットは、１つのＯＦＤＭ記号又は複数の連続ＯＦＤＭ記号に広がってもよい。いずれの場合も、ＭＬＣについてのＯＦＤＭの上のデータ・スロット割り振りは、連続スロットインデックスを有する。
【０２９４】
図３２は、フレーム内の３つの連続ＯＦＤＭ記号の上で５つの異なるＭＬＣへスロットを割り振るスナップショットを図解する。図において、ＴＥＭ  ｎ,ｍはｍ番目のＭＬＣについてのｎ番目のターボ符号化パケットを表す。図において、
ａ．ＭＬＣ  １は送信モード０を使用し、各ターボ符号化パケットについて３つのスロットを要求する。それは３つの連続ＯＦＤＭ記号を使用して１つのターボ符号化パケットを送る。
【０２９５】
ｂ．ＭＬＣ  ２はモード１を使用し、２つのスロットを利用して単一のターボ符号化パケットを送信する。それはＯＦＤＭ記号ｎ及びｎ＋１を使用して２つのターボ符号化パケットを送る。
【０２９６】
ｃ．ＭＬＣ  ３は送信モード２を使用し、１つのターボ符号化パケットを送信するために１.５スロットを要求する。それは３つの連続ＯＦＤＭ記号を使用して６つのターボ符号化パケットを送信する。
【０２９７】
ｄ．ＭＬＣ  ４は送信モード１を使用し、単一のターボ符号化パケットを送信するために２つのスロットを要する。それは２つの連続ＯＦＤＭ記号を使用して２つのターボ符号化パケットを送る。
【０２９８】
ｅ．ＭＬＣ  ５は送信モード３を使用し、ターボ符号化パケットを送信するために１つのスロットを要求する。それは１つのＯＦＤＭ記号を使用してターボ符号化パケットを送る。
【０２９９】
[スロットのスクランブリング]
各々の割り振られたスロット・バッファのビットは、０で指定されたようにスクランブルされる。スクランブルされたスロット・バッファはＳＢで表される。
【０３００】
[変調記号へのビットのマッピング]
広域データ通信路の場合、送信モードに依存して、ＱＰＳＫ、１６−ＱＡＭ、又は層状変調のいずれかが使用される。
【０３０１】
[ＱＰＳＫ変調]
ｉ番目のスクランブルされたスロット・バッファからの、それぞれｓ０及びｓ１と名付けられた２つの連続ビットＳＢ(ｉ,２ｋ)及びＳＢ(ｉ,２ｋ＋１)、ｉ＝１,２,...７、ｋ＝０,１,...４９９から成る各グループは、表６で指定されるように、
【数１７】
2010503288.tif 000036
【０３０２】
を用いて複素変調記号ＭＳ＝(ｍＩ,ｍＱ)へマップされる。図１３は、ＱＰＳＫ変調についての信号点配置を示す。
【０３０３】
[１６−ＱＡＭ変調]
ｉ番目のスクランブルされたデータ・スロット・バッファからの４つの連続ビットＳＢ(ｉ,４ｋ)、ＳＢ(ｉ,４ｋ＋１)、ＳＢ(ｉ,４ｋ＋２)、及びＳＢ(ｉ,４ｋ＋３)、ｉ＝１,２,...７、ｋ＝０,１,...４９９から成る各グループはグループにされ、下記の表１７で指定されるように、
【数１８】
2010503288.tif 000037
【０３０４】
を用いて１６−ＱＡＭ複素変調記号Ｓ(ｋ)＝(ｍＩ(ｋ),ｍＱ(ｋ))、ｋ＝０,１,...４９９へマップされる。図３３は１６−ＱＡＭ変調器の信号点配置を示す。ここで、ｓ０＝ＳＢ(ｉ,４ｋ)、ｓ１＝ＳＢ(ｉ,４ｋ＋１)、ｓ２＝ＳＢ(ｉ,４ｋ＋２)、及びｓ３＝ＳＢ(ｉ,４ｋ＋３)である。
【表１８】
2010503288.tif 000038
【０３０５】
[基底及び向上成分を有する層状変調]
ｉ番目のスクランブルされたデータ・スロット・バッファからの４つの連続ビットＳＢ(ｉ,４ｋ)、ＳＢ(ｉ,４ｋ＋１)、ＳＢ(ｉ,４ｋ＋２)、及びＳＢ(ｉ,４ｋ＋３)、ｉ＝１,２,...７、ｋ＝０,１,...４９９から成る各グループはグループにされ、下記の表１８で指定されるように層状変調複素記号Ｓ(ｋ)＝(ｍＩ(ｋ),ｍＱ(ｋ))、ｋ＝０,１,...４９９へマップされる。ｒが基底成分と向上成分との間のエネルギー比を表すならば、α及びβは次式によって与えられる。
【数１９】
2010503288.tif 000039
【０３０６】
及び
【数２０】
2010503288.tif 000040
【０３０７】
（表４を参照）
図３４は、層状変調についての信号点配置を示す。ここで、ｓ０＝ＳＢ(ｉ,４ｋ)、ｓ１＝ＳＢ(ｉ,４ｋ＋１)、ｓ２＝(ｉ,４ｋ＋２)、及びＳ３＝(ｉ,４ｋ＋３)である。注意すべきことに、スロット・バッファを充填する手続きは、ビットｓ０及びｓ２が向上成分に対応し、ビットｓ１及びｓ３が基底成分に対応することを確実にする（図２８を参照）。
【表１９】
2010503288.tif 000041
【０３０８】
上記の表１８において、
【数２１】
2010503288.tif 000042
【０３０９】
であることに留意する。ここでｒは、向上成分エネルギーに対する基底成分エネルギーの比である。
【０３１０】
［基底成分のみを用いる層状変調］
ｉ番目のスクランブルされたスロット・バッファからの４つの連続ビットから成る各グループからの、それぞれｓ０及びｓ１で名付けられる２番目及び４番目のビットＳＢ(ｉ,４ｋ＋１)及びＳＢ(ｉ,４ｋ＋３)、ｉ＝１,２,...７、ｋ＝０,１,...４９９は、表６で指定されるように、
【数２２】
2010503288.tif 000043
【０３１１】
を用いて複素変調記号ＭＳ＝(ｍＩ,ｍＱ)へマップされる。図１３は、ＱＰＳＫ変調についての信号点配置を示す。
【０３１２】
［インタレースへのスロットのマッピング］
広域データ通信路ＯＦＤＭ記号についてのインタレースへのスロットのマッピングは、本明細書で指定されるとおりである。
【０３１３】
［インタレース副搬送波へのスロット・バッファ変調記号のマッピング］
各々の割り振られたスロット内の５００の変調記号は、本明細書で指定される手続きを使用して５００のインタレース副搬送波へ逐次に割り当てられる。
【０３１４】
［ＯＦＤＭ共通動作］
変調された広域データ通信路副搬送波は、本明細書で指定される共通動作を受ける。
【０３１５】
［割り振られないスロットについての広域データ通信路処理］
広域データ通信路内の割り振られないスロットは、１０００ビットの固定パターンを入力として使用する。各ビットはゼロへ設定されている。これらのビットは、図１４で図解されたステップに従って処理される。
【０３１６】
［スロット・バッファの充填］
広域データ通信路の各々の割り振られないスロットについてのバッファは、１０００ビットから成る固定パターンを用いて完全に充填される。各ビットは「０」へ設定されている。
【０３１７】
［スロットのスクランブリング］
広域データ通信路内の各々の割り振られないスロット・バッファのビットは、０で指定されたようにスクランブルされる。スクランブルされたスロット・バッファはＳＢで表される。
【０３１８】
［変調記号のマッピング］
ｉ番目のスクランブルされたスロット・バッファからの、それぞれｓ０及びｓ１と名付けられる２つの連続ビットＳＢ(ｉ,２ｋ)及びＳＢ(ｉ,２ｋ＋１)、ｉ＝１,２,...７、ｋ＝０,１,...４９９から成る各グループは、表６で指定されるように、
【数２３】
2010503288.tif 000044
【０３１９】
を用いて複素変調記号ＭＳ＝(ｍＩ,ｍＱ)へマップされる。図１３は、ＱＰＳＫ変調についての信号点配置を示す。
【０３２０】
［インタレースへのスロットのマッピング］
広域データ通信路ＯＦＤＭ記号内の割り振られないスロットについてのインタレースへのスロットのマッピングは、０で指定されるとおりである。
【０３２１】
［インタレース副搬送波へのスロット・バッファ変調記号のマッピング］
スロット・バッファ内の５００の変調記号は、次のようにして５００のインタレース副搬送波へ逐次に割り当てられる。即ち、ｉ番目の複素変調記号（ここで、ｉ∈{０,１,...４９９}）は、このインタレースのｉ番目の副搬送波へマップされる。
【０３２２】
［ＯＦＤＭ共通動作］
この変調された広域データ通信路ＯＦＤＭ記号副搬送波は、本明細書で指定されるような共通動作を受ける。
【０３２３】
［ローカルエリア・データ通信路］
ローカルエリア・データ通信路は、ローカルエリア・マルチキャスト用の物理層パケットを搬送するために使用される。ローカルエリア・データ通信路についての物理層パケットは、ローカルエリアで送信される能動ＭＬＣの任意の１つに関連づけられ得る。
【０３２４】
［割り振られたスロットについてのローカルエリア・データ通信路の処理］
ローカルエリア・データ通信路についての物理層パケットは、図２６で図解されるステップに従って処理される。
【０３２５】
正規の変調（ＱＰＳＫ及び１６−ＱＡＭ）の場合、物理層パケットは、データ・スロット・バッファへ記憶される前にターボ符号化及びビット・インタリーブされる。層状変調の場合、基底成分物理層パケット及び向上成分物理層パケットは、データ・スロット・バッファの中へ多重化される前に、独立してターボ符号化及びビット・インタリーブされる。
【０３２６】
［符号化］
ローカルエリア・データ通信路物理層パケットは、コードレートＲ＝１／３、１／２、又は２／３を用いて符号化される。符号化手続きは、本明細書で指定されるような広域データ通信路の場合と同じである。
【０３２７】
［ビット・インタリービング］
ローカルエリア・データ通信路ターボ符号化パケットは、本明細書で指定されるようにビット・インタリーブされる。
【０３２８】
［データ・スロットの割り振り］
ローカルエリア・データ通信路の場合、スロットの割り振りは、本明細書で指定されるとおりである。
【０３２９】
［データ・スロット・バッファの充填］
ローカルエリア・データ通信路についてのスロット・バッファを充填する手続きは、本明細書で指定されるとおりである。
【０３３０】
［スロットのスクランブリング］
各々の割り振られたスロット・バッファのビットは、本明細書で指定されるようにスクランブルされる。スクランブルされたスロット・バッファはＳＢによって表される。
【０３３１】
［変調記号へのスロット・ビットのマッピング］
ローカルエリア・データ通信路の場合、送信モードに依存して、ＱＰＳＫ、１６−ＱＡＭ、又は層状変調が使用される。
【０３３２】
［ＱＰＳＫ変調］
スクランブルされたスロット・バッファからの２つの連続ビットから成る各グループは、本明細書で指定されるようにＱＰＳＫ変調記号へマップされる。
【０３３３】
［１６−ＱＡＭ変調］
スクランブルされたスロット・バッファからの４つの連続ビットから成る各グループは、本明細書で指定されるように１６−ＱＡＭ変調記号へマップされる。
【０３３４】
［基底及び向上成分を用いる層状変調］
スクランブルされたスロット・バッファからの４つの連続ビットから成る各グループは、本明細書で指定されるように層状変調記号へマップされる。
【０３３５】
［基底成分のみを用いる層状変調］
スクランブルされたスロット・バッファからの４つの連続ビットの各グループからの２番目及び４番目のビットは、本明細書で指定されるようにＱＰＳＫ変調記号へマップされる。
【０３３６】
［インタレースへのスロットのマッピング］
ローカルエリア・データ通信路ＯＦＤＭ記号についてのインタレースへのスロットのマッピングは、本明細書で指定されるとおりである。
【０３３７】
［インタレース副搬送波へのスロット変調記号のマッピング］
各々の割り振られたスロット内の５００の変調記号は、本明細書で指定される手続きを使用して５００のインタレース副搬送波へ逐次に割り当てられる。
【０３３８】
［ＯＦＤＭ共通動作］
変調された広域データ通信路副搬送波は、本明細書で指定されるような共通動作を受ける。
【０３３９】
［割り振られないスロットについてのローカルエリア・データ通信路の処理］
ローカルエリア・データ通信路内の割り振られないスロットは、１０００ビットの固定パターンを入力として使用する。各ビットはゼロへ設定されている。これらのビットは、図１４で図解されるステップに従って処理される。
【０３４０】
［スロット・バッファの充填］
ローカルエリア・データ通信路の割り振られない各スロットについてのバッファは、１０００ビットから成る固定パターンで完全に充填される。各ビットは「０」へ設定されている。
【０３４１】
［スロットのスクランブリング］
広域データ通信路内の割り振られない各スロット・バッファのビットは、０で指定されるようにスクランブルされる。スクランブルされたスロット・バッファはＳＢで表される。
【０３４２】
［変調記号のマッピング］
スクランブルされたスロット・バッファからの２つの連続ビットから成る各グループは、本明細書で指定されるようにＱＰＳＫ変調記号へマップされる。
【０３４３】
［インタレースへのスロットのマッピング］
ローカルエリア・データ通信路ＯＦＤＭ記号内の割り振られないスロットについてのインタレースへのスロットのマッピングは、本明細書で指定されるとおりである。
【０３４４】
［インタレース副搬送波へのスロット・バッファ変調記号のマッピング］
スロット・バッファ内の５００の変調記号は、次のようにして５００のインタレース副搬送波へ逐次に割り当てられる。即ち、ｉ番目の複素変調記号（ここで、ｉ∈{０,１,...４９９}）は、このインタレースのｉ番目の副搬送波へマップされる。
【０３４５】
［ＯＦＤＭ共通動作］
この変調されたローカルエリア・データ通信路ＯＦＤＭ記号副搬送波は、本明細書で指定されるような共通動作を受ける。
【０３４６】
［インタレースへのスロットのマッピング］
インタレースへのスロットのマッピングは、このセクション（section）で指定されるように、１つのＯＦＤＭ記号から次のＯＦＤＭ記号へと変動する。ＯＦＤＭ記号ごとに８つのスロットが存在する。ＦＤＭパイロット通信路はスロット０を利用する。スロット０は、次のようにスーパフレーム内のＯＦＤＭ記号インデックスｊについてインタレースＩＰ[ｊ]を割り当てられる。
【０３４７】
(ｊ  ｍｏｄ  ２＝０)であれば、ＩＰ[ｊ]＝２
そうでなければ、ＩＰ[ｊ]＝６
スロット０についてのインタレース割り当て手続きは、ＦＤＭパイロット通信路が、それぞれ偶数及び奇数ＯＦＤＭ記号インデックスについてインタレース２及び６を割り当てられることを確実にする。各ＯＦＤＭ記号内の残りの７つのインタレースは、スロット１から７へ割り当てられる。これは図３５で図解される。ここでＰ及びＤは、それぞれＦＤＭパイロット通信路及びデータ通信路によって占められたスロットへ割り当てられるインタレースを表す。
【０３４８】
スロット１から７までについてのインタレースへのスロットのマッピングは、次のとおりである。
【０３４９】
ａ．ｉは、インタレースインデックスｉ（ｉ∈{０,７}）の３ビット値であるとする。ｉのビット逆転値をｉｂｒとして表す。
【０３５０】
ｂ．Ｉｊは、本明細書で前に定義されたようなｊ番目のインタレースであるとする。Ｉｉ内のインデックスｉ（ｉ∈{０,７}）をｉｂｒで置換し、並べ替えられた系列ＰＳ＝｛Ｉ０  Ｉ４  Ｉ２  Ｉ６  Ｉ１  Ｉ５  Ｉ３  Ｉ７｝を生成することによって、インタレース系列｛Ｉ０  Ｉ１  Ｉ２  Ｉ３  Ｉ４  Ｉ５  Ｉ６  Ｉ７｝を並べ替える。
【０３５１】
ｃ．ＰＳ内のインタレースＩ２及びＩ６を統合し、短いインタレース系列ＳＩＳ＝｛Ｉ０  Ｉ４  Ｉ２／Ｉ６  Ｉ１  Ｉ５  Ｉ３  Ｉ７｝を生成する。
【０３５２】
ｄ．スーパフレーム内のインデックスｊ（ｊ∈{１,１１９９}）を有するＯＦＤＭ記号について、(２×ｊ)ｍｏｄ  ７に等しい値だけ、ステップ３のＳＩＳで右方循環シフトを遂行し、並べ替えられた短いインタレース系列ＰＳＩＳ(ｊ)を生成する。
【０３５３】
ｅ．(ｊ  ｍｏｄ  2＝０)であれば、ＰＳＩＳ(ｊ)内のインタレースＩ６を選ぶ。そうでなければ、ＰＳＩＳ(ｊ)内のＩ２を選ぶ。
【０３５４】
ｆ．スーパフレーム内のｊ番目のＯＦＤＭ記号区間について、ｋ番目のデータ・スロット（ｋ∈{１,...７}のとき）がインタレースＰＳＩＳ(ｊ)[ｋ−１]を割り当てられる。
【０３５５】
上記のステップｃについて、インタレース２及びインタリーブ６はパイロットのために交替して使用されるから、残りの７つのインタレースはデータ・スロットへの割り当てに使用されることに留意する。追加的に、スーパフレームは１２００のＯＦＤＭ記号区間に広がること、及びＯＦＤＭ記号インデックス０についてのインタレースへのスロットのマッピングは使用されないことに留意する。更に、上記のステップｄについて、系列ｓ＝{１  ２  ３  ４  ５}を２だけ右方へ循環シフトすることは、系列ｓ(２)＝{４  ５  １  ２  ３}を生じることに留意する。
【０３５６】
図３６は、１５の連続ＯＦＤＭ記号区間にわたって８つの全スロットへインタレースを割り当てることを図解する。スロットからインタレースへのマッピング・パターンは、１４の連続ＯＦＤＭ記号区間の後に反復する。図３６は、全インタレースが、同じ時間端数だけパイロット・インタレースに隣接して割り当てられ、全インタレースについての通信路推定性能が、ほぼ同じであることを示す。
【０３５７】
［ＯＦＤＭ共通動作］
このブロックは、ＯＦＤＭ記号区間ｍについての副搬送波インデックスｋに関連づけられた複素変調記号Ｘｋ,ｍをＲＦ送信信号へ変換する。動作は、図３７に図解される。
【０３５８】
［ＩＦＴ動作］
ｍ番目のＯＦＤＭ記号に関連づけられた複素変調記号Ｘｋ,ｍ、ｋ＝０,１,...４０９５は、フーリエ逆変換（ＩＦＴ）式によって連続時間信号ｘｍ(ｔ)へ関係づけられる。具体的には、次のとおりである。
【数２４】
2010503288.tif 000045
【０３５９】
上記の式において、(Δｆ)ＳＣは副搬送波の間隔、ＴＷＧＩ、ＴＦＧＩ、及びＴＳ’は、この出願で前に解説されたように定義される。
【０３６０】
［ウィンドウ化］
信号ｘｍ(ｔ)は、窓関数ｗ(ｔ)によって掛け算される。ここで、
【数２５】
2010503288.tif 000046
【０３６１】
ウィンドウ化信号は、ｙｍ(ｔ)で表される。ここで、
ｙｍ(ｔ)＝ｘｍ(ｔ)ｗ(ｔ)
上記において、ＴＵ及びＴＳは、本明細書で前に定義されたとおりである。
【０３６２】
［重複及び加算］
ベースバンド信号ＳＢＢ(ｔ)は、継続的ＯＦＤＭ記号からのウィンドウ化連続時間信号をＴＷＧＩだけ重複することによって生成される。これは図３８で図解される。具体的には、ＳＢＢ(ｔ)が次式によって与えられる。
【数２６】
2010503288.tif 000047
【０３６３】
［搬送波の変調］
同相及び直角ベースバンド信号は、無線周波数へアップコンバート及び合計され、無線周波数波形ｓＲＦ(ｔ)を生成する。図３７において、ｆＣ(ｋ)は、ｋ番目のＦＬＯ  ＲＦ通信路の中心周波数である（表１を参照）。
【０３６４】
［累進(progressive)プリアンブル送信及び受信］
他の例において、開示された通信システムは、ネットワークの識別及び弁別に使用される累進プリアンブルの送信及び対応する受信を含んでもよい。図１０から図１８の例に関連して前に解説されたように、ネットワーク識別子（ＩＤ）は、広域ネットワーク及びローカルエリア・ネットワークを識別又は弁別するために使用されてもよいことに留意する。それらの例において、プリアンブル内の４つの（４）ＯＦＤＭ記号がＴＤＭパイロット通信路の専用とされた。ＴＤＭパイロット通信路は、ＴＤＭパイロット１通信路、広域識別通信路（ＷＩＣ）、ローカルエリア識別通信路（ＬＩＣ）、及びＴＤＭパイロット２通信路を含んだ。前の例において、例えば、移動受信機のユーザが広域ネットワーク・コンテンツの受信だけを望んだとしても、受信機はＷＩＣ通信路及びＬＩＣ通信路の双方を処理する。
【０３６５】
現在の例において、広域動作インフラストラクチャＩＤ（ＷＯＩ  ＩＤ）及びローカル動作インフラストラクチャＩＤ（ＬＯＩ  ＩＤ）は、別々のＯＦＤＭ記号の中で送信される。その場合、移動トランシーバは、例えば、広域（ＷＯＩ）データのみが所望されるとき、ＷＯＩデータを受信するため１つのＯＦＤＭ記号内のＷＯＩ  ＩＤを獲得するだけでもよいが、ローカルエリア（ＬＯＩ）データを受信するためには、双方のＯＦＤＭ記号内のＷＯＩ及びＬＯＩ  ＩＤを必要とする。
【０３６６】
実現されるように、現在の例は、タイミング及び周波数獲得及びネットワークＩＤ獲得のために、３つの専用ＯＦＤＭ記号を使用する。この方法論を利用するフレーム、例えば、スーパフレームのプリアンブル部分３９００が、図３９で図解される。図解されるように、３つの特殊記号構造ＴＤＭ  １（３９０２）、ＴＤＭ  ２（３９０４）、及びＴＤＭ  ３（３９０６）が、図解されたプリアンブル部分の中に配列される。
【０３６７】
これら３つの記号の最初の記号ＴＤＭ  １（３９０２）は、本明細書で前に説明された例と同じく、粗いタイミング獲得、フレーム境界の画定、及び搬送波周波数オフセットの獲得に使用される（例えば、ＴＤＭパイロット１）。
【０３６８】
記号ＴＤＭ  ２（３９０４）は、ＷＯＩ  ＩＤ情報埋め込みパイロットを送信するために使用される。図４０は、記号ＴＤＭ  ２（３９０２）内のデータの詳細図を図解する。ＴＤＭ  ２は、ＷＯＩパイロット通信路をファイル（filed）された４つの偶数又は奇数の周波数インタフェースを含むように構成され、ＷＯＩパイロット通信路は、ＷＯＩ  ＩＤを種とするＰＮ系列によってスクランブルされるパイロットである。示されるように、図４０において、記号３９０２は、それぞれ参照番号４０００、４００２、４００４、及び４００６と名付けられた４つの偶数周波数インタレース（０、２、４、６）を含み、ＷＯＩパイロット通信路で充填される。残りの奇数インタレース・スロット４００８は、初期化される。奇数又は偶数の周波数インタレースを利用することによって、結果のＯＦＤＭ記号波形は、ＦＦＴによって周波数定義域から変換されたとき、時間定義域における同じ波形の２つの反復コピーから成る。ＴＤＭ  １からのタイミングは粗いタイミングにすぎないから、ＴＤＭ  ２から蓄積された波形の２つのコピーを有することは、図４２で図解されるように、波形が標本化ウィンドウ期間内で早期又は後期に生起するとしても、波形の完全コピーが取得されることを確実にする。図４２は、後で説明される。これは、図１０から図１８に関連して前に説明された例とは区別され得る。というのは、微細なタイミングは、ＴＤＭ  ３記号内に埋め込まれた情報なしに、ＴＤＭ  ２を使用して達成されるからである。対照的に、前に開示された例は、ＴＤＭパイロット１通信路、ＷＩＣ通信路、ＬＩＣ通信路、及びＴＤＭ  ２パイロット通信路からの情報を要求して、微細なタイミングを達成する。
【０３６９】
図４１はＴＤＭ  ３記号３９０６の構成を図解する。ＴＤＭ  ３記号３９０６は、ＷＯＩ及びＬＯＩ  ＩＤ埋め込みパイロット情報を送信するために使用される。４つの偶数又は奇数インタレース（例えば、０、２、４、６）、例えば、図解されるように偶数のインタレース４１００、４１０２、４１０４、及び４１０６が、ＷＯＩ及びＬＯＩパイロットで充填される。ＴＤＭ  ２と同じく、ＴＤＭ  ３内のパイロット通信路は、ＰＮ系列でスクランブルされるが、ＷＯＩ及びＬＯＩ  ＩＤの組み合わせを種とする。奇数又は偶数のインタレーシング（interlacing）は、次いで時間定義域内で同じ波形の２つのコピーを産出する。パイロット通信路内で種とされたＬＯＩ  ＩＤ情報は、ＷＯＩ  ＩＤに依存することに留意する。例えば、１６の可能なＷＯＩ  ＩＤのグループからＷＯＩ  ＩＤを選択できることが仮定され、同様に１６の可能なＬＯＩ  ＩＤの他のグループからＬＯＩ  ＩＤを選択できることが仮定されるならば、トランシーバ内の処理回路又はソフトウェア（software）は、ＷＯＩ及びＬＯＩ  ＩＤの２５６の異なる組み合わせ（１６×１６）を動作的に処理して、ＬＯＩデータを受信するために必要なＷＯＩ  ＩＤ及びＬＯＩ  ＩＤの適正な組み合わせを決定する必要がある。現在の例において、しかしながら、ＴＤＭ  ３内のインタレース４１００、４１０２、４１０４、及び４１０６の各々は、ＴＤＭ  ２内で種とされたＷＯＩ  ＩＤに結びつくか基づくＬＯＩ  ＩＤ情報を含む。こうして、この特定の例において、トランシーバは１６の可能なＷＯＩ  ＩＤを処理してＴＤＭ  ２から微細なタイミング情報を取得し、次いで、検出されたＷＯＩ  ＩＤと追加の１６の可能なＬＯＩ  ＩＤの組み合わせを処理し、総計で３２の処理動作を必要とするだけである。
【０３７０】
動作において、現在説明された例に従ったタイミング獲得は、例えば、図１０から図１８に関して本明細書で前に説明されたように、粗いタイミング及び周波数についてＴＤＭ  １（例えば、３９０２）を獲得することから始まる。
【０３７１】
ＴＤＭ  １（３９０２）から粗いタイミングが獲得された後、記号時間の四分の一（１／４）が経過した後に、ＴＤＭ  ２（例えば、３９０４）の標本化がスタートする。図解として、図４２は例示的記号波形４２００を示す。線４２０２によって表示される記号のスタートは、ＴＤＭ  １から獲得された粗いタイミングによって決定される。線４２０４によって表示されるように、記号時間の１／４が経過した後、記号は半（１／２）記号長について標本化される。この記号長は線４２０６で終わる。Ｎは記号内の標本の総数であると仮定すれば、ＴＤＭ  ２の標本化は１からＮ／２個の標本{ｐｋ,ｋ＝１,２,・・・,Ｎ／２}について遂行される。ローカル・コンテンツが所望される場合にこの記号が利用されるならば、ＴＤＭ  ３の記号波形について同じ標本化が生起することに留意する。
【０３７２】
Ｎ／２個の標本を決定する際に、ノイズ基線の推定値が標本から決定される。１つの例によれば、ｋ（例えば、Ｎ／２）個の標本について通信路エネルギー断面|ｐ|２の分散を決定することによって、ノイズ基線が推定されてもよい。具体的には、ｐの分散σ２は、下記の式（１）で与えられる量的関係を使用して決定されてもよい。
【数２７】
2010503288.tif 000048
【０３７３】
具体的には、ＴＤＭ２のスタートで粗いタイミングがＴＤＭ１から獲得された後、最初のＮ／４個の標本がスキップされる。続くＮ／２個の標本が次に標本化される（例えば、図４２を参照）。それらＮ／２個の標本の各々からのエネルギー断面（|ｐｋ|２）は、上記の式（１）で使用される（例えば、ｐ１はＮ／２個の標本の最初の標本であり、ｐＮ／２はＮ／２個の標本の最後の標本である。このようにして、ＴＤＭ１のタイミング誤差が(−Ｎ／４,＋Ｎ／４）の中にある限り、式（１）で利用される標本(ｐ１,ｐ２,...,ｐＮ／２)が、波形の完全なコピーを常に含むことを確実にされる。
【０３７４】
高速フーリエ変換（ＦＦＴ）を使用して、同じ標本{ｐｋ,ｋ＝１,２,・・・,Ｎ／２}が、次に周波数定義域へ変換される。ＦＦＴを使用して標本を周波数定義域へ変換した後、パイロット記号はＭ個の可能なＷＯＩ  ＩＤからのｍ番目のＷＯＩ  ＩＤに関連づけられたＰＮ個の系列を使用してデスクランブル（descramble）される。デスクランブルされたパイロット記号は、高速フーリエ逆変換（ＩＦＦＴ）を用いて時間定義域へ逆変換され、１からＮ／２までの標本の各々について通信路推定値ｃｋを取得する（即ち、{ｃｋ,ｋ＝１,２,・・・,Ｎ／２}）。検出計量Ｅは、前に計算されたノイズ基線σ２を使用して、次のように式（２）で計算される。
【数２８】
2010503288.tif 000049
【０３７５】
ここで、ｍはＷＯＩ  ＩＤであり、ηは所望のノイズ閾値を修正するために使用される所定の因子である。検出計量Ｅは、全てのＭ個のＷＯＩ  ＩＤについて計算される。Ｍ個のＷＯＩ  ＩＤの全てについて計算した後、検出されたＷＯＩ  ＩＤは、最大検出計量を有するＷＯＩ  ＩＤである。最大検出計量は、このＷＯＩ  ＩＤが所望のＷＯＩ  ＩＤである可能性が最も高いことを示す。というのは、このＷＯＩ  ＩＤはノイズ閾値の上の最大通信路活動エネルギーを所有するからである。
【０３７６】
上記で説明された決定は、Ｌ個のＬＯＩ  ＩＤからＬＯＩ  ＩＤを決定するためにも反復されもよい。しかしながら、移動トランシーバがＷＯＩデータのみを受信するように設定されるならば、ＷＯＩ微細タイミングを獲得するため、検出されたＷＯＩ  ＩＤを用いて、記号ＴＤＭ２のみをデスクランブルすればよいことに留意する。微細タイミングの獲得は、通信システムでのタイミング獲得に知られた任意の数の方法を用いて達成されてもよい。利用され得るそのような方法の例は、２００５年１２月１５日に出願され、「無線通信システムにおけるタイミングを決定する方法及び装置」（METHODS AND APPARATUS FOR DETERMINING TIMING IN A WIRELESS COMMUNICATION SYSTEM）と題する同時係属米国特許出願第１１／３０３,４８５号で説明される。この同時係属米国特許出願は、本願の譲受人へ譲渡され、参照して本明細書へ明示的に組み入れられる。
【０３７７】
上記で言及されたように、移動トランシーバがＬＯＩデータも受信するように設定されているならば、ＬＯＩ  ＩＤを検出するため、上記で説明された同じ手続きが反復される。ＴＤＭ  ３からＬＯＩ  ＩＤを検出することは、検出されたＷＯＩ  ＩＤと全ての可能なＬＯＩ  ＩＤとの組み合わせを使用する。ＷＯＩ及びＬＯＩ  ＩＤを検出した後、記号ＴＤＭ３は、検出されたＷＯＩ及びＬＯＩ  ＩＤを用いてデスクランブルされ、次いで前の段落で言及されたタイミング獲得に知られた任意の数の方法を使用して、ＬＯＩ微細タイミング獲得に使用される。対照的に、本明細書で前に開示された例は、そのようなＬＯＩ微細タイミング獲得機構を提供しない。そのような機構の欠乏は、ＬＯＩデータ受信性能を潜在的に低下させる。
【０３７８】
図４３は、例示的トランシーバ４３００のブロック図である。トランシーバ４３００は、ＴＤＭ  １、ＴＤＭ  ２、及びＴＤＭ  ３記号を受信し、ＷＯＩデータのみが所望される場合にはＴＤＭ２に基づき、又はＷＯＩ及びＬＯＩデータが所望されるときにはＴＤＭ  ３に基づいて、微細タイミングを獲得する上記の方法論を有効にする装置を採用してもよい。図解されるように、トランシーバ４３００は、送信された無線情報を受信するアンテナ４３０２を含む。無線情報は、例えば、スーパフレームのプリアンブルの中にＴＤＭ  １、ＴＤＭ  ２、及びＴＤＭ  ３を含む。アンテナ４３０２は、無線信号情報をアナログ／ディジタル（Ａ／Ｄ）変換器４３０４へ引き渡す。変換器４３０４は、アナログ無線信号をディジタル信号４３０６へ変換する。Ａ／Ｄ変換器４３０４は、次いでディジタル信号４３０６を標本器４３０８又は類似の適切なデバイスへ出力する。機能的に、標本器４３０８はトランシーバ４３００の一部分であり、この部分は、ディジタル信号４３０６の中の副搬送波を標本化するタイミング・ウィンドウを有効にする。標本器４３１０の出力は、プロセッサ４３１２及びＦＦＴ  ４３１４の双方へ入力される。プロセッサ４３１２は、ＤＳＰ又は任意の他の適切なプロセッサによって実現されてもよいことに留意する。
【０３７９】
ＦＦＴ  ４３１４は、標本器４３０８からの標本を周波数定義域へ変換し、周波数定義域をデスクランブラ（descrambler）又は復号器４３１６へ渡すように構成される。デスクランブラ又は復号器４３１６は、Ｍ個の可能なＷＯＩ  ＩＤからのｍ番目のＷＯＩ  ＩＤに関連づけられたＰＮ個の系列を使用して、ＰＮ個の系列によってスクランブルされたパイロット記号をデスクランブルする。
【０３８０】
プロセッサ４３１４は、通信路推定／タイミング推定４３１８及び逆ＦＦＴ（ＩＦＦＴ）４３２０を更に含んでもよい。図解されるように、ＩＦＦＴ  ４３２０は周波数定義域内のデスクランブルド（descrambled）パイロット記号を受信し、それらの記号を、通信路推定／タイミング推定ユニット４３１８によって使用されるための時間定義域へ逆変換して、通信路推定値を取得する。プロセッサ４３１４は、式（２）に関連して上記で説明された検出計量を決定し、次いで最大検出計量の決定に基づいてＷＯＩ  ＩＤを検出してもよい。
【０３８１】
追加的に、ユニット４３１８のタイミング推定部分は、ＴＤＭ  １からのデータを利用して、ＴＤＭ  ２を標本化するタイミングを先ず獲得及び設定してもよい。この標本化は、上記で解説されたように、記号時間の１／４の後でスタートし、記号長の１／２の間に行われる。更に、ユニット４３１８のタイミング推定部分は、次いで微細タイミング獲得のため検出されたＷＯＩによってデスクランブルされたデータを使用することによって、微細タイミング獲得を取得する。通信路推定／タイミング推定ユニット４３１８は、転じて、タイミング・データ４３２２を標本器４３０８へ出力し、標本器４３０８の標本化ウィンドウのタイミングを設定する。
【０３８２】
更に、プロセッサ４３１２がプログラムされるか、ローカル・データ（ＬＯＩ）を受け取る命令を受信するならば、プロセッサ４３１２は、ＴＤＭ  ３について前に説明された追加処理を実行する。そうでなければ、プロセッサ４３１２は、ＴＤＭ  ３内のデータを処理しないことを認識するように構成される。
【０３８３】
通信路推定／タイミング獲得ユニット４３１８は、トランシーバ装置、例えば、トランシーバ３００の中で、ハードウェア、ソフトウェア、又はファームウェアとして実現されてもよいことに留意する。追加的に、ソフトウェア実現の場合、トランシーバ３００は、集積回路、例えば、アプリケーション特定集積回路（ＡＳＩＣ）を含むことができる。ＡＳＩＣは、記憶された命令を有するコンピュータ可読媒体（例えば、メモリ４３２４）を含むかインタフェースする。記憶された命令は、プロセッサ（例えば、プロセッサ４３１２）によって実行されるとき、本開示で説明された方法論をプロセッサが実行することを引き起こす。他の例として、プロセッサ４３１２は、トランシーバ３００内のディジタル信号プロセッサ（ＤＳＰ）３１６によって実現されるか、ＤＳＰ及びハードウェアの組み合わせとして実現され得る。
【０３８４】
図４３で示されるように、デスクランブリング（descrambling）又は復調の後、結果のデスクランブルされた信号は、トランシーバが格納される移動通信デバイス、例えば、移動電話デバイス又はパーソナル・データ・アシスタントによる使用のために、直列ビット・ストリームとして出力される。
【０３８５】
図４４は、無線記号、例えば、ＯＦＤＭ記号を送信する方法の流れ図を示す。無線記号は、タイミング獲得のために情報をトランシーバへ通信するための３つの個別の記号（例えば、ＴＤＭ１、ＴＤＭ２、及びＴＤＭ３）を有する。図解されるように、方法４４００はブロック４４０２で始まる。ブロック４４０２では、プロセス４４００が初期化される。次に、流れはブロック４４０２へ進行する。ブロック４４０２では、少なくともタイミング情報を通信するように構成された第１の記号が送信している（例えば、ＴＤＭ  １）。
【０３８６】
ブロック４４０２から、流れはブロック４４０４へ進行する。ブロック４４０４では、第１のネットワークに関するネットワーク識別情報を含む第１の情報を通信するように構成された第１のネットワークに関するネットワーク識別情報を含む第１の情報を通信するように構成された第２の記号が送信される。手続きのこの部分の例は、ＴＤＭ  ２の送信である。
【０３８７】
ブロック４４０４が実行された後、流れはブロック４４０６へ進行する。ブロック４４０６では、第２のネットワークに関するネットワーク識別情報を含む第２の情報を通信するように構成された第３の記号が送信される。第２のネットワークに関するネットワーク識別情報は、第１のネットワークに関するネットワーク識別情報の少なくとも一部分を含む。そのような送信の例は、ＴＤＭ  ３の送信である。
【０３８８】
流れは、次いでブロック４４０８へ進行する。ブロック４４０８では、プロセス４４００が終了する。プロセス４４００は、送信機（図示されず）又は類似のデバイスによって有効にされてもよいことに留意する。対応するトランシーバが、送信された記号を受信及びプロセスするように構成される方法は、図４５で図解される。
【０３８９】
図解されるように、図４５は、ネットワーク識別子、例えば、図４４の方法によって送信された識別子を受信及び決定するプロセス４５００を開示する。このプロセスは、トランシーバ、例えば、トランシーバ４４００によって実現されてもよい。
【０３９０】
プロセス４５００はスタート・ブロック４５０２で始まり、ブロック４５０４へ進行する。ブロック４５０４では、少なくともタイミング情報を通信するように構成された第１の受信記号が処理される。この手続きの実現の例として、図４３のトランシーバ４３００が、例えば、ＴＤＭ  １を受信し、記号ＴＤＭ  １から粗いタイミングを決定してもよい。ブロック４５０４の後、流れはブロック４５０６へ進行する。ブロック４５０６では、第１のネットワークに関するネットワーク識別情報を含む第１の情報を通信するように構成された第２の受信記号が処理される。ブロック４５０６のこのプロセスは、トランシーバ４３００、特に具体的には、標本器４３０８、プロセッサ４３１２、及び通信路推定／タイミング推定ユニット４３１８によって実現されてもよい。
【０３９１】
ブロック４５０６が完了した後、流れは決定ブロック４５０８へ進行する。ここでは、ローカル・データ（ＬＯＩデータ）が所望されるか否かの決定が行われる。所望されなければ、流れはブロック４５１０へ進行する。ブロック４５１０では、第１のネットワーク・データ（例えば、ＷＯＩ  ＩＤ）のみを使用してタイミングが獲得される。ブロック４５１０での微細タイミング獲得の後、流れは終了ブロック４５１２へ進行する。
【０３９２】
決定ブロック４５０８での代替進行として、第２のネットワーク・データ（例えば、ＬＯＩデータ）が所望されるならば、流れはブロック４５１４へ進行する。ブロック４５１４において、手続きは第３の受信記号を処理する。第３の受信記号は、第２のネットワークに関するネットワーク識別情報（例えば、ＬＯＩ）を含む第２の情報（例えば、ＬＯＩ  ＩＤ）を通信するように構成される。ここで、第２のネットワークに関するネットワーク識別情報は、第１のネットワークに関するネットワーク識別情報の少なくとも一部分を含む（例えば、ＬＯＩ  ＩＤの検出は、ブロック４５０６で処理された検出ＷＯＩデータの組み合わせに基づく）。ブロック４５１４の処理が完了した後、流れはブロック４５１６へ進行する。ブロック４５１６において、微細タイミングの獲得は、検出された第１及び第２のネットワーク識別情報（例えば、ＷＯＩ及びＬＯＩ  ＩＤ）に基づく。タイミング獲得の後、流れは終了ブロック４５１２へ進行する。
【０３９３】
図４６は、本開示に従った送信機で使用されるプロセッサの例を図解する。図解されるように、送信機、又は送信機４６００で使用されるプロセッサは、第１の記号を送信する手段４６０２を含む。第１の記号は少なくともタイミング情報を通信するように構成され、このタイミング情報は粗いタイミングを獲得するため受信機によって使用される。早期に開示された第１の記号の例は、ＯＦＤＭ記号ＴＤＭ  1である。プロセッサ４６００は、第１のネットワークに関するネットワーク識別情報を含む第１の情報を通信するように構成される第２の記号を送信する手段４６０４を更に含む。第２の記号の例は、上記で解説されたＴＤＭ  ２を含む。ＴＤＭ  ２は、ＷＯＩネットワークに関するＷＯＩ  ＩＤ情報を含む。
【０３９４】
プロセッサ４６００は、第２のネットワークに関するネットワーク識別情報を含む第２の情報を通信するように構成された第３の記号を送信する手段４６０６を更に含む。第２のネットワークに関するネットワーク識別情報は、第１のネットワークに関するネットワーク識別情報の少なくとも一部分を更に含む。そのような第３の記号の例は、ＴＤＭ  ３を含む。ＴＤＭ  ３は、ＷＯＩ  ＩＤ情報に基づいてＬＯＩ  ＩＤ情報を特徴づける。ここで、ＬＯＩ  ＩＤは、ＬＯＩネットワークにアクセスするために使用される。
【０３９５】
プロセッサ４６００は、手段４０６２、４６０４、及び４６０８からの記号を、例えば、図３９で図解されるフレーム又はスーパフレームへ組み立てる送信回路又は手段４６０８を更に含む。フレーム又はスーパフレームは、次いでアンテナ４６１０を経由して無線で送信される。
【０３９６】
図４７は、例示的トランシーバ又はトランシーバ４７００内のプロセッサを図解する。これらは無線通信信号を受信するように構成される。図解されるように、プロセッサ４７００はアンテナ４７０２と通信し、アンテナ４７０２は、図３９で図解されるようなフレームの中に配列された無線通信信号を受信する。信号は、例えば、第１の受信信号を処理する手段４７０４へ引き渡される。ここで第１の受信信号は、第１のタイミング情報をトランシーバ又はプロセッサ４７００へ通信するように構成される。この情報は、上記で解説された記号ＴＤＭ  １に類似してもよく、例えば、同じく前に説明された粗いタイミング獲得を有効にするために使用される。追加的に、プロセッサ４７００は、手段４７０４と通信する手段４７０６を含む。手段４７０６は、第１のネットワークに関するネットワーク識別情報を含む第１の情報を通信するように構成された第２の受信記号を処理するためのものである。この第２の受信記号は、例えば、ＴＤＭ  ２であってもよい。ＴＤＭ  ２は、ＷＯＩネットワークに関するＷＯＩ  ＩＤを通信する。
【０３９７】
プロセッサ４７００は、手段４７０６と通信する手段４７０８を更に含む。ここで手段４７０８は、第２のネットワークに関するネットワーク識別情報を含む第２の情報を通信するように構成された第３の受信記号を選択的に処理するためのものである。ここで第２のネットワークに関するネットワーク識別情報は、トランシーバが第２のネットワークからデータを受信するように選択的に構成されるとき、第１のネットワークに関するネットワーク識別情報の少なくとも一部分を含む。この第３の記号の例は、例えば、本明細書で前に説明されたように、ＷＯＩ  ＩＤに基づいてＬＯＩ  ＩＤを通信するＴＤＭ  ３であってもよい。
【０３９８】
プロセッサ４７００は、特に、ＬＯＩデータが所望されるかどうかに依存して、ＷＯＩデータか又はＷＯＩ及びＬＯＩデータかのタイミングを獲得する手段４７０６及び４７０８と通信する処理回路を更に含む。手段４７０４、４７０６、４７０８、及び４７１０は、例として、図４３に図解されるコンポーネントの幾つか又は全てによって有効にされてもよいことに留意する。
【０３９９】
図３９から図４７に関連して前に開示された例は、フレーム・プリアンブル内の記号の累進的又は選択的使用を特徴づけることによって、特にＷＯＩデータのみが所望される場合に、処理リソースの一層良好な使用をもたらす。というのは、２つのフレーム（即ち、ＴＤＭ１及びＴＤＭ２）のみの処理が必要だからである。更に、ＬＯＩデータ受信の微細タイミングを獲得するため第３の記号を利用し、ＷＯＩ  ＩＤ及び全ての可能なＬＯＩ  ＩＤの組み合わせを利用することによって、ＬＯＩデータが所望されるときの処理リソースが最適化される。要求される処理リソースが少なくなることによって、得られるチップ又はプロセッサ・サイズは小さくなる。
【０４００】
本明細書で開示された実施形態に関連して説明された様々な例示的論理ブロック、モジュール、及び回路は、汎用プロセッサ、ディジタル信号プロセッサ（ＤＳＰ）、アプリケーション特定集積回路（ＡＳＩＣ）、フィールドプログラマブルゲートアレー（ＦＰＧＡ）、又は他のプログラム可能論理デバイス、離散的ゲート又はトランジスタ論理、離散的ハードウェア・コンポーネント、又は本明細書で説明された機能を遂行するように設計されたこれらの任意の組み合わせを用いて実現又は遂行されてもよい。汎用プロセッサはマイクロプロセッサであってもよいが、代替として、任意の従来のプロセッサ、コントローラ、マイクロコントローラ、又は状態機械であってもよい。プロセッサは、コンピューティングデバイスの組み合わせ、例えば、ＤＳＰとマイクロプロセッサとの組み合わせ、複数のマイクロプロセッサ、ＤＳＰコアと結合された１つ又は複数のマイクロプロセッサ、又は任意の他のそのような構成として実現されてもよい。
【０４０１】
本明細書で開示された実施形態に関連して説明された方法又はアルゴリズムのステップは、直接のハードウェア、プロセッサによって実行されるソフトウェア・モジュール、又はこれら２つの組み合わせとして体現されてもよい。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、又は当技術分野で知られた任意の他の形態の記憶媒体の中に存在してもよい。例示的記憶媒体はプロセッサへ結合され、プロセッサは、記憶媒体から情報を読み取り、記憶媒体へ情報を書き込むことができる。代案として、記憶媒体は、プロセッサと一体化されてもよい。プロセッサ及び記憶媒体は、ＡＳＩＣの中に存在してもよい。ＡＳＩＣはユーザ端末の中に存在してもよい。代案として、プロセッサ及び記憶媒体は、ユーザ端末の中に離散的コンポーネントとして存在してもよい。
【０４０２】
開示された実施形態の前の説明は、当業者が本発明を作るか使用できるようにするために提供される。これらの実施形態に対する様々な修正は、当業者にとって直ちに明らかであり、本明細書で規定された一般的原理は、本発明の趣旨又は範囲から逸脱することなく他の実施形態へ適用されてもよい。こうして、本発明は、本明細書で示された実施形態へ限定されることは意図されず、本明細書で開示された原理及び新規な特徴と一致する最も広い範囲を与えられるべきである。
【０４０３】
当業者は、多様な異なる技術及び手法の任意のものを使用して情報及び信号が表現されてもよいことを理解するであろう。例えば、上記の説明を通して参照されるデータ、命令、コマンド、情報、信号、ビット、記号、及びチップは、電圧、電流、電磁波、磁気の場又は粒子、光の場又は粒子、又はこれらの任意の組み合わせによって表現されてもよい。
【０４０４】
本明細書で開示された実施形態と関連して説明された様々な図解的論理ブロック、モジュール、回路、及びアルゴリズム・ステップは、電子ハードウェア、コンピュータ・ソフトウェア、又はこれら双方の組み合わせとして実現されてもよいことを、当業者は更に了解するであろう。ハードウェア及びソフトウェアのこの互換性を明瞭に図解するため、様々な図解的コンポーネント、ブロック、モジュール、回路、及びステップが、概してこれらの機能性の観点から上記で説明された。そのような機能性がハードウェアとして実現されるか、ソフトウェアとして実現されるかは、特定の応用及びシステム全体に課される設計制約に依存する。熟練した技術者は、各々の特定の応用について多様な方途で、説明された機能性を実現するかも知れないが、そのような実現の意思決定は、本発明の範囲からの逸脱を引き起こすものと解釈されてはならない。
【図１】
2010503288.tif 000050
【図２Ａ】
2010503288.tif 000051
【図２Ｂ】
2010503288.tif 000052
【図３】
2010503288.tif 000053
【図４】
2010503288.tif 000054
【図５】
2010503288.tif 000055
【図６】
2010503288.tif 000056
【図７】
2010503288.tif 000057
【図８】
2010503288.tif 000058
【図９】
2010503288.tif 000059
【図１０】
2010503288.tif 000060
【図１１】
2010503288.tif 000061
【図１２】
2010503288.tif 000062
【図１３】
2010503288.tif 000063
【図１４】
2010503288.tif 000064
【図１５】
2010503288.tif 000065
【図１６】
2010503288.tif 000066
【図１７】
2010503288.tif 000067
【図１８】
2010503288.tif 000068
【図１９】
2010503288.tif 000069
【図２０】
2010503288.tif 000070
【図２１】
2010503288.tif 000071
【図２２】
2010503288.tif 000072
【図２３】
2010503288.tif 000073
【図２４】
2010503288.tif 000074
【図２５】
2010503288.tif 000075
【図２６】
2010503288.tif 000076
【図２７】
2010503288.tif 000077
【図２８】
2010503288.tif 000078
【図２９】
2010503288.tif 000079
【図３０】
2010503288.tif 000080
【図３１】
2010503288.tif 000081
【図３２】
2010503288.tif 000082
【図３３】
2010503288.tif 000083
【図３４】
2010503288.tif 000084
【図３５】
2010503288.tif 000085
【図３６】
2010503288.tif 000086
【図３７】
2010503288.tif 000087
【図３８】
2010503288.tif 000088
【図３９】
2010503288.tif 000089
【図４０】
2010503288.tif 000090
【図４１】
2010503288.tif 000091
【図４２】
2010503288.tif 000092
【図４３】
2010503288.tif 000093
【図４４】
2010503288.tif 000094
【図４５】
2010503288.tif 000095
【図４６】
2010503288.tif 000096
【図４７】
2010503288.tif 000097
【国際調査報告】
2010503288.tif 000098
2010503288.tif 000099